(57)【要約】【課題】配線基板における出力信号や電源ノイズの確認が容易な、電気光学装置および電子機器を提供すること。【解決手段】液晶装置１は、−Ｘ方向に沿って複数の端子が配列された第１端子群１６１と、第１端子群１６１よりも−Ｘ方向にずれて配置され、−Ｘ方向に沿って複数の端子が配列された第２端子群１６２と、第１端子群１６１と電気的に接続され、第１駆動用ＩＣ２１が実装された第１配線基板３１と、第１配線基板３１と重ねて配置され、第２端子群１６２と電気的に接続された第２配線基板３２と、を備え、第１配線基板３１は、第１駆動用ＩＣ２１と電気的に接続されたモニター用パッド３１４，３１５を有し、第２配線基板３２は、モニター用パッド３１４，３１５と重ならないように、第１配線基板３１よりも−Ｘ方向にずれて配置されている。【選択図】図８
2020134855.tif 000002
【特許請求の範囲】
【請求項１】
第１方向に沿って複数の端子が配列された第１端子群と、
前記第１端子群よりも前記第１方向にずれて配置され、前記第１方向に沿って複数の端子が配列された第２端子群と、
前記第１端子群と電気的に接続され、駆動素子が実装された第１配線基板と、
前記第１配線基板と重ねて配置され、前記第２端子群と電気的に接続された第２配線基板と、を備え、
前記第１配線基板は、前記駆動素子と電気的に接続されたモニター部を有し、
前記第２配線基板は、前記モニター部と重ならないように、前記第１配線基板よりも前記第１方向にずれて配置されている電気光学装置。
【請求項２】
前記第２配線基板には、前記第１配線基板の前記モニター部と重ならないように切欠き部が設けられている、請求項１に記載の電気光学装置。
【請求項３】
前記切欠き部に沿って前記モニター部の識別部が配置されている、請求項２に記載の電気光学装置。
【請求項４】
前記第１配線基板は、前記駆動素子の一端側に設けられた出力端子と前記モニター部とを電気的に接続する第１配線と、前記駆動素子の他端側に設けられた出力端子と他のモニター部とを電気的に接続する第２配線と、を有し、
前記他のモニター部は、前記第２配線基板と重ならない位置に設けられ、
前記モニター部および前記他のモニター部は、それぞれ前記第１配線基板の一の長辺側に配置され、前記第２配線は、前記駆動素子と重なる位置を延在する、請求項１から請求項３のいずれか１項に記載の電気光学装置。
【請求項５】
前記第１配線基板に対して、一端が電気的に接続される第１延長基板と、
前記第２配線基板に対して、一端が電気的に接続される第２延長基板と、を備え、
前記第１延長基板は、他端が前記第１方向とは反対の第２方向に屈曲し、
前記第２延長基板は、他端が前記第１方向へ屈曲している、請求項１から請求項４のいずれか１項に記載の電気光学装置。
【請求項６】
第１端子群と、
前記第１端子群に沿って配置された第２端子群と、
前記第１端子群と電気的に接続された第１配線基板と、
前記第１配線基板と重ねて配置され、前記第２端子群と電気的に接続された第２配線基板と、を備え、
前記第１配線基板は、駆動素子と、前記駆動素子に電気的に接続されたモニター部と、を有し、
前記第２配線基板は、前記第１配線基板よりも幅が狭く、前記第１配線基板の前記モニター部と重ならないように配置されている電気光学装置。
【請求項７】
前記第２配線基板には、前記モニター部と重ならないように切欠き部が設けられている、請求項６に記載の電気光学装置。
【請求項８】
前記モニター部は、前記第１配線基板の両側にそれぞれ設けられ、
前記第２配線基板の両側には、前記モニター部と重ならないようにそれぞれ切欠き部が設けられている、請求項６に記載の電気光学装置。
【請求項９】
前記第１配線基板は、前記駆動素子の一端側に設けられた出力端子と前記モニター部とを電気的に接続する第１配線と、前記駆動素子の他端側に設けられた出力端子と他のモニター部とを電気的に接続する第２配線と、を有し、
前記他のモニター部は、前記第２配線基板と重ならない位置に設けられ、前記第２配線は、前記駆動素子と重なる位置を延在する、請求項７または請求項８に記載の電気光学装置。
【請求項１０】
表示領域を備え、前記第２端子群と前記表示領域との間に、前記第１端子群が配置され、
前記第１端子群および前記第２端子群は、それぞれ第１方向に沿って複数の端子が配列されており、
前記第１端子群の前記第１方向に沿う長さが、前記第２端子群の前記第１方向に沿う長さよりも長い、請求項６から請求項９のいずれか１項に記載の電気光学装置。
【請求項１１】
請求項１から請求項１０のいずれか１項に記載の電気光学装置を備えた電子機器。
【発明の詳細な説明】
【技術分野】
【０００１】
本発明は、電気光学装置および該電気光学装置を備えた電子機器に関する。
【背景技術】
【０００２】
従来、電気光学装置として、例えば、画素にスイッチング素子としてのトランジスターを備えた、アクティブ駆動型の液晶装置や有機エレクトロルミネッセンス装置などが知られていた。このような電気光学装置は、複数の画素が配置された表示領域を有する電気光学パネルを有している。そして、該電気光学パネルの端子部に、異方性導電フィルムなどを介して、駆動用ＩＣ（Integrated Circuit）が実装されたフレキシブル配線基板を接続する実装形態が採用される場合がある。
【０００３】
近年、上記の実装形態には、電気光学パネルの高解像度化のために、増加する画素数への対応が希求されている。例えば、特許文献１には、電気光学パネルに第１フレキシブル配線基板と第２フレキシブル配線基板とが、平面視で略重ねられて配置された実装形態が開示されている。また、例えば、特許文献２には、電気光学パネルの一辺に沿って並列に配置された、端子の配列ピッチが異なる第１端子群および第２端子群を有する実装形態が開示されている。
【先行技術文献】
【特許文献】
【０００４】
【特許文献１】特開２０１８−１２８４８８号公報
【特許文献２】特開２０１７−１２０２９９号公報
【発明の概要】
【発明が解決しようとする課題】
【０００５】
駆動用ＩＣを含むフレキシブル配線基板が接続された電気光学パネルでは、試験用の映像信号を入力して表示試験が行われる。表示に不具合が生じた場合には、その不具合が、電気光学パネル、フレキシブル配線基板、駆動用ＩＣのいずれに起因するものかを特定する。そのため、駆動用ＩＣの出力端子と電気的に接続されたフレキシブル配線基板の配線について、出力信号の状態を確認することになる。あるいは電気光学パネルまたは駆動用ＩＣへの供給電源についてのノイズを確認する場合もある。
【０００６】
しかしながら、特許文献１に記載の実装形態では、フレキシブル配線基板の配線に対して、出力信号や電源ノイズを確認することが難しいという課題があった。詳しくは、第１フレキシブル配線基板と第２フレキシブル配線基板とが略重ねられているため、２つの配線基板の内側に一方の配線基板の配線が存在すると、出力信号や電源ノイズ確認のための検査用探針を接触させることが困難であった。また、特許文献２に記載の実装形態では、検査用探針を接触させるためのモニター用パッドについての開示がないという課題があった。すなわち、配線基板における出力信号や電源ノイズの確認が容易な電気光学装置が求められていた。
【課題を解決するための手段】
【０００７】
本願の電気光学装置は、第１方向に沿って複数の端子が配列された第１端子群と、第１端子群よりも第１方向にずれて配置され、第１方向に沿って複数の端子が配列された第２端子群と、第１端子群と電気的に接続され、駆動素子が実装された第１配線基板と、第１配線基板と重ねて配置され、第２端子群と電気的に接続された第２配線基板と、を備え、第１配線基板は、駆動素子と電気的に接続されたモニター部を有し、第２配線基板は、モニター部と重ならないように、第１配線基板よりも第１方向にずれて配置されている。
【０００８】
上記の電気光学装置において、第２配線基板には、第１配線基板のモニター部と重ならないように切欠き部が設けられていることが好ましい。
【０００９】
上記の電気光学装置において、切欠き部に沿ってモニター部の識別部が配置されていることが好ましい。
【００１０】
上記の電気光学装置において、第１配線基板は、駆動素子の一端側に設けられた出力端子とモニター部とを電気的に接続する第１配線と、駆動素子の他端側に設けられた出力端子と他のモニター部とを電気的に接続する第２配線と、を有し、他のモニター部は、第２配線基板と重ならない位置に設けられ、モニター部および他のモニター部は、それぞれ第１配線基板の一の長辺側に配置され、第２配線は、駆動素子と重なる位置を延在することが好ましい。
【００１１】
上記の電気光学装置は、第１配線基板に対して、一端が電気的に接続される第１延長基板と、第２配線基板に対して、一端が電気的に接続される第２延長基板と、を備え、第１延長基板は、他端が第１方向とは反対の第２方向に屈曲し、第２延長基板は、他端が第１方向へ屈曲していることが好ましい。
【００１２】
本願の電気光学装置は、第１端子群と、第１端子群に沿って配置された第２端子群と、第１端子群と電気的に接続された第１配線基板と、第１配線基板と重ねて配置され、第２端子群と電気的に接続された第２配線基板と、を備え、第１配線基板は、駆動素子と、駆動素子に電気的に接続されたモニター部と、を有し、第２配線基板は、第１配線基板よりも幅が狭く、第１配線基板のモニター部と重ならないように配置されている。
【００１３】
上記の電気光学装置において、第２配線基板には、モニター部と重ならないように切欠き部が設けられていることが好ましい。
【００１４】
上記の電気光学装置において、モニター部は、第１配線基板の両側にそれぞれ設けられ、第２配線基板の両側には、モニター部と重ならないようにそれぞれ切欠き部が設けられていることが好ましい。
【００１５】
上記の電気光学装置において、第１配線基板は、駆動素子の一端側に設けられた出力端子とモニター部とを電気的に接続する第１配線と、駆動素子の他端側に設けられた出力端子と他のモニター部とを電気的に接続する第２配線と、を有し、他のモニター部は、第２配線基板と重ならない位置に設けられ、第２配線は、駆動素子と重なる位置を延在することが好ましい。
【００１６】
上記の電気光学装置は、表示領域を備え、第２端子群と表示領域との間に、第１端子群が配置され、第１端子群および第２端子群は、それぞれ第１方向に沿って複数の端子が配列されており、第１端子群の第１方向に沿う長さが、第２端子群の第１方向に沿う長さよりも長いことが好ましい。
【００１７】
本願の電子機器は、上記の電気光学装置を備える。
【図面の簡単な説明】
【００１８】
【図１】第１実施形態に係る電気光学装置としての液晶装置の外観を示す斜視図。
【図２】液晶装置の構成を示す分解斜視図。
【図３】第１配線基板および第２配線基板が電気的に接続された液晶パネルを示す平面図。
【図４】第１配線基板および第２配線基板が電気的に接続された液晶パネルを示す側面図。
【図５】液晶装置の電気的な構成を示す回路図。
【図６】液晶パネルにおける第１端子群および第２端子群の配置を示す平面図。
【図７】第１配線基板の構成を示す平面図。
【図８】第１配線基板および第２配線基板を端子部に実装した状態を示す平面図。
【図９】第２実施形態に係る液晶パネルにおける第１端子群および第２端子群の配置を示す平面図。
【図１０】第１配線基板の構成を示す平面図。
【図１１】第１配線基板および第２配線基板を端子部に実装した状態を示す平面図。
【図１２】第３実施形態に係る第１配線基板の構成を示す平面図。
【図１３】第１配線基板および第２配線基板を端子部に実装した状態を示す平面図。
【図１４】第４実施形態に係る液晶パネルにおける第１端子群および第２端子群の配置を示す平面図。
【図１５】第１端子群および第２端子群における構成の一例を示す模式図。
【図１６】第１配線基板の構成を示す平面図。
【図１７】第２配線基板の構成を示す平面図。
【図１８】第１配線基板および第２配線基板を端子部に実装した状態を示す平面図。
【図１９】第５実施形態に係る第２配線基板の構成を示す平面図。
【図２０】第６実施形態に係る液晶パネルの第１端子群および第２端子群の配置を示す平面図。
【図２１】第１配線基板の構成を示す平面図。
【図２２】第２配線基板の構成を示す平面図。
【図２３】第１配線基板および第２配線基板を端子部に実装した状態を示す平面図。
【図２４】第７実施形態に係る電子機器としての投射型表示装置の構成を示す概略図。
【発明を実施するための形態】
【００１９】
以下、本発明の実施形態について、図面を参照して説明する。以下に説明する実施の形態は、本発明の一例を説明するものである。本発明は、以下の実施の形態に限定されるものではなく、本発明の要旨を変更しない範囲において実施される各種の変形例も、本発明に含まれる。ここで、以下の各図においては、各部材を認識可能な程度の大きさにするため、各部材の尺度を実際とは異ならせしめている。また、以下の各図においては、必要に応じて、相互に直交する座標軸であるＸＹＺ軸を付している。
【００２０】
１．第１実施形態
１．１．液晶装置
本実施形態では、電気光学装置として、アクティブ駆動型の液晶装置を例に挙げて説明する。該液晶装置は、後述する投射型表示装置の光変調装置に適用されるマイクロデバイスである。
【００２１】
本実施形態に係る液晶装置の構成について、図１、図２、図３および図４を参照して説明する。図１は、第１実施形態に係る電気光学装置としての液晶装置の外観を示す斜視図である。図２は、液晶装置の構成を示す分解斜視図である。図３は、第１配線基板および第２配線基板が電気的に接続された液晶パネルを示す平面図である。図４は、第１配線基板および第２配線基板が電気的に接続された液晶パネルを示す側面図である。
【００２２】
図１に示すように、本実施形態の電気光学装置としての液晶装置１は、電気光学パネルである液晶パネル１００、液晶パネル１００に電気的に接続された、第１実装基板５１および第２実装基板５２、液晶パネル１００を挟持する額縁状のホルダー７０を備えている。ホルダー７０は、例えば、アルミニウムなどの金属、または合金を用いて形成された、第１ホルダー部材７１および第２ホルダー部材７２によって構成されている。
【００２３】
ここで、以降の説明において、液晶パネル１００の１辺に沿った直線をＸ軸とし、該直線と交差する他の１辺に沿った直線をＹ軸とし、液晶パネル１００に入射する光Ｌａの進行方向に沿った直線をＺ軸とする。また、図１のＸＹＺ軸の表示において、Ｘ軸の矢印が向く方向を＋Ｘ方向とし、Ｙ軸の矢印が向く方向を＋Ｙ方向とし、Ｚ軸の矢印が向く方向を＋Ｚ方向とし、各＋方向と反対の方向を各々−方向ともいう。このとき、光Ｌａの進行方向は＋Ｚ方向となる。さらに、−Ｚ方向から見ることを平面視ともいう。
【００２４】
第１実装基板５１および第２実装基板５２は、ホルダー７０から＋Ｙ方向に突出し、図示しない外部回路に電気的に接続される。第１実装基板５１および第２実装基板５２の詳細については後述する。
【００２５】
図２に示すように、液晶パネル１００は、透過型であって、例えば、石英基板などの透光性基板によって構成され、対向して配置された素子基板１０１および対向基板１０２と、これら一対の基板の間に挟持された液晶層と、表示領域１１０と、を有している。対向基板１０２は、素子基板１０１に対して、光Ｌａの入射側、すなわち−Ｚ方向側に配置される。液晶パネル１００は、＋Ｘ方向および＋Ｙ方向にマトリクス状に配置された複数の画素１１１を有している。複数の画素１１１がマトリクス状に配置された領域が表示領域１１０である。なお、表示領域１１０は、液晶パネル１００の表示に寄与しないダミー画素を含んでいてもよい。
【００２６】
対向基板１０２の光Ｌａの入射側に、第１防塵基板１０３が配置されている。液晶パネル１００に入射した光Ｌａが変調されて、表示光として素子基板１０１から射出される側に、第２防塵基板１０４が配置されている。第１防塵基板１０３および第２防塵基板１０４は、液晶パネル１００による表示光が拡大投射された際に、液晶パネル１００に対する異物の影響を低減する機能を有している。第１防塵基板１０３および第２防塵基板１０４には、温度変化による膨張および収縮に起因する寸法変化を考慮して、素子基板１０１や対向基板１０２と同様な、例えば、石英基板などの透光性基板が用いられる。
【００２７】
素子基板１０１における、液晶パネル１００の対向基板１０２から＋Ｙ方向に突出した部分が端子部１０５である。端子部１０５には、外部接続用の第１端子群１６１および第２端子群１６２が設けられている。第１端子群１６１と第２端子群１６２とは、端部１０５ａから−Ｙ方向に間隔を空けて設けられている。第２端子群１６２は、第１端子群１６１よりも、端部１０５ａ寄りにあって、−Ｘ方向にずれて配置されている。
【００２８】
第１端子群１６１には、第１方向としての−Ｘ方向に沿って、複数の端子が所定のピッチで配列されている。第２端子群１６２には、−Ｘ方向に沿って、複数の端子が所定のピッチで配列されている。第１端子群１６１は、第２端子群１６２と表示領域１１０との間に配置されている。
【００２９】
第１実装基板５１は、駆動素子としての第１駆動用ＩＣ２１が実装された第１配線基板３１と、第１配線基板３１に電気的に接続された第１延長基板４１と、を有している。第２実装基板５２は、第２駆動用ＩＣ２２が実装された第２配線基板３２と、第２配線基板３２に電気的に接続された第２延長基板４２と、を有している。第１配線基板３１と第２配線基板３２とは、＋Ｚ方向に重ねて配置され、第２配線基板３２は、第１配線基板３１に対して＋Ｚ方向側に位置する。第１配線基板３１および第２配線基板３２には、例えば、ＦＰＣ（Flexible Printed Circuit）が採用される。
【００３０】
第１配線基板３１は、第１端子群１６１に電気的に接続されている。第２配線基板３２は、第２端子群１６２に電気的に接続されている。
【００３１】
ホルダー７０の第１ホルダー部材７１は、矩形状の本体部７１ａと、本体部７１ａから＋Ｙに突出する板状の第１放熱部７３とを有している。第１放熱部７３の＋Ｚ方向には、＋Ｙ方向に沿って延在すると共に、＋Ｘ方向に所定の間隔で配列された複数の放熱フィン７３０が設けられている。本体部７１ａにおける、液晶パネル１００の表示領域１１０に対応する部分には、矩形状の開口部７１２が設けられている。本体部７１ａの四隅のそれぞれに孔７１１が設けられている。
【００３２】
ホルダー７０の第２ホルダー部材７２は、矩形状の本体部７２ａと、本体部７２ａから＋Ｙ方向に突出する板状の第２放熱部７４とを有している。第２放熱部７４の−Ｚ方向には、＋Ｙ方向に沿って延在すると共に、＋Ｘ方向に所定の間隔で配列された複数の放熱フィン７４０が設けられている。本体部７２ａにおける、液晶パネル１００の表示領域１１０に対応する部分には、矩形状の開口部７２２が設けられている。本体部７２ａの四隅のそれぞれに孔７２１が設けられている。
【００３３】
第２ホルダー部材７２の＋Ｚ方向側には、凹んだ、図示しない凹部が設けられている。つまり、第２ホルダー部材７２の凹部に、第１防塵基板１０３および第２防塵基板１０４が貼り付けられた液晶パネル１００が収容され、第１ホルダー部材７１で＋Ｚ方向側から蓋をするように挟み込まれる。第１ホルダー部材７１の本体部７１ａと、第２ホルダー部材７２の本体部７２ａとは、四隅の孔７１１，７２１に、例えば、ボルトを挿入してねじ留めされる。
【００３４】
第２放熱部７４の＋Ｘ方向側および−Ｘ方向側の側面には、固定部材７５が着脱可能に係止される係止部７４ａが設けられている。第１放熱部７３と第２放熱部７４との間に第１実装基板５１と第２実装基板５２とが挟み込まれた状態で、第２放熱部７４に対して、第１放熱部７３が固定部材７５によって固定される。
【００３５】
ここで、本実施形態では、ホルダー７０を含めた液晶装置１を電気光学装置の一例としたが、電気光学装置においてホルダー７０は必須の構成ではない。
【００３６】
図３に示すように、液晶パネル１００は、表示領域１１０における、行方向である＋Ｘ方向と列方向である＋Ｙ方向とに、マトリクス状に配置された複数の画素１１１を有している。液晶パネル１００はアクティブ駆動型である。画素１１１には、図示を省略するが、画素電極、スイッチング素子、対向電極および保持容量が対応して設けられている。スイッチング素子は、画素電極をスイッチング制御する。対向電極は、液晶層を介して画素電極と対向する。画素電極、スイッチング素子および保持容量は、素子基板１０１に設けられている。スイッチング素子は、例えば、薄膜トランジスター（ＴＦＴ：Thin Film Transistor）である。対向電極は、複数の画素電極と対向するように、少なくとも表示領域１１０に亘って対向基板１０２に設けられている。画素電極および対向電極は、例えば、ＩＴＯ（Indium Tin Oxide）やＩＺＯ（Indium Zinc Oxide）などの透明導電膜を用いて形成される。
【００３７】
素子基板１０１の端子部１０５には、第１端子群１６１と第２端子群１６２とが設けられている。平面視にて、第１端子群１６１と第２端子群１６２とは、−Ｘ方向に沿う長さが略等しい。第１端子群１６１と第２端子群１６２とは、−Ｘ方向において、ずれて配置されている。詳しくは、第１端子群１６１は、第２端子群１６２よりも第１方向とは反対の第２方向としての＋Ｘ方向へずれて配置され、第２端子群１６２は、第１端子群１６１よりも−Ｘ方向へずれて配置される。
【００３８】
第１端子群１６１には、第１実装基板５１の第１配線基板３１が電気的に接続される。第１配線基板３１には、第１延長基板４１の一端である−Ｙ方向の端部が電気的に接続される。第１延長基板４１は、他端である＋Ｙ方向の端部が＋Ｘ方向に屈曲している。第２端子群１６２には、第２実装基板５２の第２配線基板３２が電気的に接続されている。第２配線基板３２には、第２延長基板４２の一端である−Ｙ方向の端部が電気的に接続される。第２延長基板４２は、他端である＋Ｙ方向の端部が−Ｘ方向に屈曲している。
【００３９】
第１延長基板４１の＋Ｙ方向の端部には、第１入力端子４５が設けられている。第２延長基板４２の＋Ｙ方向の端部には、第２入力端子４６が設けられている。平面視にて、第１入力端子４５と第２入力端子４６とは、−Ｘ方向に沿って直線的に並んで配置されている。第１入力端子４５および第２入力端子４６のこのような配置により、外部回路基板に平置きされた２個のコネクターのうち、一方のコネクターに第１入力端子４５を電気的に接続し、他方のコネクターに第２入力端子４６を電気的に接続することができる。すなわち、一方のコネクターに第１延長基板４１を電気的に接続する際に、第２延長基板４２が邪魔にならない。なお、第１延長基板４１および第２延長基板４２は、屈曲した形状であることに限定されず、＋Ｙ方向に沿って直線的な形状であってもよい。
【００４０】
図４に示すように、第１配線基板３１の一方の基板面３１ｍに、第１駆動用ＩＣ２１が実装されている。基板面３１ｍの−Ｙ方向の端部に接続用端子群３１ｔが設けられている。第２配線基板３２の一方の基板面３２ｍに、第２駆動用ＩＣ２２が実装されている。基板面３２ｍの−Ｙ方向の端部に接続用端子群３２ｔが設けられている。本実施形態において、第１配線基板３１および第２配線基板３２は、いずれもフレキシブルな片面配線基板である。
【００４１】
対向基板１０２から＋Ｙ方向に張り出した素子基板１０１の端子部１０５には、端子部１０５の端部１０５ａから間隔をおいて、第２端子群１６２と第１端子群１６１とが、この順に設けられている。第１端子群１６１と第１配線基板３１の接続用端子群３１ｔとは、例えば、ＡＣＦ（Anisotropic Conductive Film）を介して電気的に接続される。これと同様にして、第２端子群１６２と第２配線基板３２の接続用端子群３２ｔとは、例えば、ＡＣＦを介して電気的に接続される。
【００４２】
素子基板１０１の端子部１０５には、先に実装された第２配線基板３２に対して、−Ｚ方向に重なるように第１配線基板３１が実装されている。また、第１配線基板３１は、端子部１０５における第１端子群１６１および第２端子群１６２の配置に対応して、第２配線基板３２に対して−Ｙ方向にずれて端子部１０５に実装されている。したがって、端子部１０５に第１配線基板３１と第２配線基板３２とが実装されると、第２配線基板３２の他方の基板面３２ｎと、第１配線基板３１の一方の基板面３１ｍとが±Ｚ方向に対向する。
【００４３】
第１延長基板４１および第２延長基板４２も、フレキシブルな片面配線基板である。第１延長基板４１の一方の基板面４１ｍにおける、＋Ｙ方向の端部に第１入力端子４５が設けられ、−Ｙ方向の端部に図示しない接続用端子が設けられている。第１延長基板４１は、該接続用端子を介して、第１配線基板３１と電気的に接続されている。
【００４４】
第２延長基板４２の一方の基板面４２ｍにおける、＋Ｙ方向の端部に第２入力端子４６が設けられ、−Ｙ方向の端部に図示しない接続用端子が設けられている。第２延長基板４２は、該接続用端子を介して、第２配線基板３２と電気的に接続されている。
【００４５】
図示を省略しているが、第１配線基板３１の一方の基板面３１ｍには、複数の配線と、該複数の配線を被覆する、例えば、レジスト層またはカバーレイとが設けられている。これと同様にして、第２配線基板３２の一方の基板面３２ｍには、複数の配線と、該複数の配線を被覆する、例えば、レジスト層またはカバーレイとが設けられている。第１延長基板４１および第２延長基板４２のそれぞれにおいても、複数の配線と、該複数の配線を被覆する、例えば、レジスト層またはカバーレイとが設けられている。
【００４６】
図示を省略しているが、第１駆動用ＩＣ２１は、ベアチップであって、外周がモールドされた状態で第１配線基板３１に実装されている。第２駆動用ＩＣ２２もベアチップであって、外周がモールドされた状態で第２配線基板３２に実装されている。
【００４７】
ここで、端子部１０５において、第１端子群１６１と接続用端子群３１ｔとの接続信頼性、および第２端子群１６２と接続用端子群３２ｔとの接続信頼性を確保することが望ましい。そのため、第１配線基板３１および第２配線基板３２が実装された端子部１０５の領域を、絶縁性を有するモールド材を用いて封着することが好ましい。なお、第１配線基板３１には、第１駆動用ＩＣ２１の他に、例えば、チップ抵抗やチップコンデンサーなどの他の電子部品が実装されてもよい。第２配線基板３２にも、第２駆動用ＩＣ２２の他に、他の電子部品が実装されてもよい。
【００４８】
１．２．液晶装置の電気的な構成
液晶装置１の電気的な構成について、図５を参照して説明する。図５は、液晶装置の電気的な構成を示す回路図である。
【００４９】
図５に示すように、液晶装置１の液晶パネル１００は、表示領域１１０、走査線駆動回路１３０、データ線選択回路１５０、ｎ本の画像信号線１６０、ｎ個の画像信号入力端子としての第１端子群１６１および第２端子群１６２、ｋ本の選択信号線１４０、ｋ個の選択信号入力端子１４５、複数の電源端子１７１，１７２，１７３、電源端子１７１，１７２，１７３に対応する電源線１７４，１７５，１７６を有している。ｎは、１以上の整数であり、ｋは２以上の整数である。本実施形態では、ｋを４として図示しているが、これに限定されるものではない。
【００５０】
上記の要素が、図２に示した素子基板１０１上に設けられている。素子基板１０１には、表示領域１１０と第１端子群１６１および第２端子群１６２との間に、＋Ｘ方向に沿ってデータ線選択回路１５０が設けられ、データ線選択回路１５０が設けられた１辺と交差する他の辺と表示領域１１０との間に、＋Ｙ方向に沿って走査線駆動回路１３０が設けられている。
【００５１】
第１駆動用ＩＣ２１および第２駆動用ＩＣ２２には、図示しない外部の上位回路から、図４に示した、第１延長基板４１および第２延長基板４２を介して、クロック信号、制御信号および画像データなどが入力される。第１駆動用ＩＣ２１および第２駆動用ＩＣ２２は、クロック信号、制御信号および画像データなどにしたがって、液晶パネル１００に表示させる画像を示す画像信号や制御信号などを出力する。液晶パネル１００は、第１駆動用ＩＣ２１および第２駆動用ＩＣ２２から入力されるクロック信号および画像信号に基づいて画像を表示する。第１駆動用ＩＣ２１および第２駆動用ＩＣ２２は、同一の構成を有しており、画像信号以外は同一の信号を出力する。必要に応じて駆動用ＩＣ２１，２２の仕様により一部の駆動信号を異ならしめてもよい。
【００５２】
表示領域１１０には、ｍ本の走査線１１２、（ｋ×ｎ）本のデータ線１１４および（ｍ×ｋ×ｎ）個の画素１１１が設けられている。ここで、ｍは１以上の整数である。画素１１１は、走査線１１２とデータ線１１４との交差に対応して設けられ、ｍ行×（ｋ×ｎ）列のマトリクス状に配列される。走査線１１２は、走査信号Ｙ１，Ｙ２，Ｙ３からＹｍを伝送する信号線である。走査線１１２は、走査線駆動回路１３０から、行方向である＋Ｘ方向に沿って設けられている。データ線１１４は、データ信号を伝送する信号線である。データ線１１４は、データ線選択回路１５０から、列方向である＋Ｙ方向に沿って設けられている。
【００５３】
表示領域１１０において、ｋ本のデータ線１１４に対応するｋ×ｍ個の画素１１１が、１つの画素群であるブロックを形成している。例えば、第１画素群１１１ｈと第２画素群１１１ｉとが設けられている。第１画素群１１１ｈでは、＋Ｙ方向に沿って配列された、ｍ個の第１画素１１１ａから成る第１画素列１１１ｅが、＋Ｘ方向に沿ってｋ本配列されている。第２画素群１１１ｉでは、＋Ｙ方向に沿って配列された、ｍ個の第２画素１１１ｂから成る第２画素列１１１ｆが、＋Ｘ方向に沿ってｋ本配列されている。
【００５４】
ここで、同一の画素群に属する画素１１１は、データ線選択回路１５０を介して、同一の画像信号線１６０に対応している。したがって、液晶パネル１００は、ｎ列の画像信号線１６０またはｎ個の画像信号入力端子である、第１端子群１６１および第２端子群１６２によって、ｎ個のブロックに区分されたｎ列の画素群を有することになる。
【００５５】
走査線駆動回路１３０は、マトリクス状に配置された複数の画素１１１の中から、データを書き込む行を選択する。具体的には、走査線駆動回路１３０は、複数の走査線１１２の中から、１本の走査線１１２を選択するための走査信号を出力する。走査線駆動回路１３０は、第１行、第２行、第３行から第ｍ行の走査線１１２に、走査信号Ｙ１，Ｙ２，Ｙ３からＹｍを供給する。走査信号Ｙ１，Ｙ２，Ｙ３からＹｍは、例えば、順次排他的にハイレベルとなる信号である。
【００５６】
データ線選択回路１５０は、各画素群において、画素信号を書き込む画素１１１の列である列画素を選択する。具体的には、データ線選択回路１５０は、その画素群に属するｋ本のデータ線１１４の中から、少なくとも１本のデータ線１１４を選択信号ＳＥＬ［１］から選択信号ＳＥＬ［ｋ］に応じて選択する。データ線１１４は、ｋ本を単位として、データ線選択回路１５０によって、１本ずつが１本の画像信号線１６０に対応している。本実施形態において、データ線選択回路１５０は、ｎ個の画素群の各々に対応するｎ個のデマルチプレクサー１５１を有している。
【００５７】
画像信号線１６０は、画像信号入力端子である、第１端子群１６１および第２端子群１６２と、データ線選択回路１５０とを電気的に接続する。画像信号線１６０は、画像信号入力端子を介して、第１配線基板３１および第２配線基板３２から入力された画像信号Ｓ［１］から画像信号Ｓ［ｎ］をデータ線選択回路１５０に伝送する信号線である。画像信号線１６０は、ｎ個の画像信号入力端子、あるいはｎ個の画素群の各々に対応して、ｎ列が設けられている。ここで、以降、画像信号Ｓ［１］から画像信号Ｓ［ｎ］を単に画像信号Ｓともいう。
【００５８】
画像信号Ｓは、画素１１１に書き込まれるデータを示す信号である。１本の画像信号線１６０は、データ線選択回路１５０を介して、ｋ本のデータ線１１４に対応している。そのため、画像信号Ｓにおいては、これらｋ本のデータ線１１４に供給されるデータが時分割多重されている。
【００５９】
選択信号線１４０は、選択信号入力端子１４５と、データ線選択回路１５０のデマルチプレクサー１５１とを電気的に接続する。選択信号線１４０である、選択信号線１４０［１］から選択信号線１４０［ｋ］は、選択信号入力端子１４５である、選択信号入力端子１４５［１］から選択信号入力端子１４５［ｋ］から入力された選択信号ＳＥＬ［１］から選択信号ＳＥＬ［ｋ］を伝送する信号線である。選択信号線１４０は、ｋ本が設けられている。選択信号ＳＥＬ［１］から選択信号ＳＥＬ［ｋ］は、順次ハイレベルとなる信号である。以降、選択信号ＳＥＬ［１］から選択信号ＳＥＬ［ｋ］を、単に選択信号ＳＥＬともいう。
【００６０】
画像信号入力端子は、第１配線基板３１および第２配線基板３２が電気的に接続される端子であり、画像信号Ｓ［ｊ］が供給される。ここで、ｊは１以上、ｎ以下の整数である。この例では、第１駆動用ＩＣ２１から、第２列、第４列、第６列、…第（２ｔ）列の偶数列の画像信号線１６０に対応する画像信号入力端子である第１端子群１６１に、画像信号Ｓ［２ｔ］が供給される。ここで、ｔは１以上、ｎ／２以下の整数である。
【００６１】
また、第２駆動用ＩＣ２２から、第１列、第３列、第５列、…第（２ｔ−１）列の奇数列の画像信号線１６０に対応する画像信号入力端子である第２端子群１６２に、画像信号Ｓ［２ｔ−１］が供給される。画像信号Ｓは、所謂データ信号であり、画像信号入力端子には、画像の表示に対応した異なる波形のアナログ信号が供給される。
【００６２】
選択信号入力端子１４５は、第１配線基板３１および第２配線基板３２に電気的に接続される端子であり、パルス信号から成る選択信号ＳＥＬが供給される。選択信号ＳＥＬは、データ線選択回路１５０において、データ線１１４を選択するタイミング信号である。詳しくは、選択信号入力端子１４５は、第１配線基板３１が電気的に接続される端子、および第２配線基板３２が電気的に接続される端子を有している。選択信号入力端子１４５には、第１駆動用ＩＣ２１、第２駆動用ＩＣ２２の両方あるいは一方から、選択信号ＳＥＬが供給される。
【００６３】
本実施形態では、第１配線基板３１および第２配線基板３２の各々に対応する選択信号入力端子１４５には、同じ波形の選択信号ＳＥＬが供給される。図５では、選択信号入力端子１４５について、第１配線基板３１が電気的に接続される端子と、第２配線基板３２が電気的に接続される端子とを区別せずに図示しているが、これらを、第１端子群１６１および第２端子群１６２とに区別してもよい。
【００６４】
電源端子１７１，１７２，１７３は、第１配線基板３１および第２配線基板３２に電気的に接続される端子である。電源端子１７１，１７２，１７３には、第１駆動用ＩＣ２１および第２駆動用ＩＣ２２を経由せずに、上位回路から第１配線基板３１および第２配線基板３２を介して電源電圧が供給される。電源電圧とは、液晶パネル１００において電源として用いられる電圧であり、この例では直流電圧である。電源端子１７１は、共通電圧ＬＣＣＯＭを供給するための端子である。電源端子１７２は、基準電圧ＶＳＳＹを供給するための端子である。電源端子１７３は、駆動電圧ＶＤＤＹを供給するための端子である。
【００６５】
共通電圧ＬＣＣＯＭは、液晶パネル１００の液晶層に印加される電圧の基準電位となる電圧である。基準電圧ＶＳＳＹは、走査線駆動回路１３０における低電圧側の電源電位となる電圧である。駆動電圧ＶＤＤＹは、走査線駆動回路１３０における高電圧側の電源電位となる電圧である。図５では、電源端子１７１，１７２，１７３について、第１配線基板３１が電気的に接続される端子と、第２配線基板３２が電気的に接続される端子とを区別せずに図示しているが、これらを、第１端子群１６１および第２端子群１６２とに区別してもよい。
【００６６】
本実施形態では、素子基板１０１において、走査線駆動回路１３０を１個としているため、電源端子１７２，１７３は、＋Ｘ方向の片側のみに設けられている。なお、走査線駆動回路１３０の配置は、これに限定されず、表示領域１１０を±Ｘ方向に挟んだ両側に走査線駆動回路１３０が設けられてもよい。その場合には、電源端子１７１，１７２，１７３は、各々素子基板１０１の±Ｘ方向の両側に設けられる構成となる。
【００６７】
本実施形態では、画像信号Ｓ［ｊ］には、対応する画素群の第［ｋ×ｊ−ｋ＋１］列から第［ｋ×ｊ］列の画素１１１に書き込まれるデータが時分割多重されている。また、画像信号Ｓ［ｊ］が偶数番目のＳ［２ｔ］である場合には、第１駆動用ＩＣ２１から偶数番目の画素群のデータ線１１４に画像信号Ｓ［ｊ］が供給される。画像信号Ｓ［ｊ］が奇数番目のＳ［２ｔ−１］である場合には、第２駆動用ＩＣ２２から奇数番目の画素群のデータ線１１４に画像信号Ｓ［ｊ］が供給される。
【００６８】
このような構成によれば、第１駆動用ＩＣ２１および第２駆動用ＩＣ２２の２個の駆動用ＩＣを用いるため、駆動用ＩＣが１個である場合と比べて、１周期で２倍の画素に対してデータの書き込みを行うことが可能となる。すなわち、液晶パネル１００における画素数の増加に対応することが容易となる。そして、第１端子群１６１および第２端子群１６２が配置されることから、高精細で高品位な小型の液晶装置１を実現することが可能となる。なお、第１端子群１６１および第２端子群１６２と画素群のデータ線１１４との電気的な接続は、上述の形態に限定されない。上記接続は、第１駆動用ＩＣ２１から奇数番目の画素群のデータ線１１４に画像信号Ｓ［ｊ］が供給され、第２駆動用ＩＣ２２から偶数番目の画素群のデータ線１１４に画像信号Ｓ［ｊ］が供給される形態であってもよい。
【００６９】
液晶装置１では、外部回路から第１実装基板５１および第２実装基板５２を介して入力される、クロック信号、制御信号および画像データなどの各種信号により、液晶パネル１００が駆動されて正常な画像が表示されるか確認することがある。仮に、表示に不具合が生じた場合には、該不具合が、液晶パネル１００、第１実装基板５１、第２実装基板５２のいずれに起因するものか特定する必要がある。特に、第１実装基板５１の第１配線基板３１には第１駆動用ＩＣ２１が実装され、第２実装基板５２の第２配線基板３２には第２駆動用ＩＣ２２が実装されている。そのため、第１駆動用ＩＣ２１および第２駆動用ＩＣ２２からの出力信号や電源ノイズが、正常か否かを確認することが重要となる。
【００７０】
図４に示したように、第１配線基板３１および第２配線基板３２は、それぞれ片面配線基板である。素子基板１０１の端子部１０５に、第１配線基板３１と第２配線基板３２とが重ねられて実装されている。このとき、第１配線基板３１の一方の基板面３１ｍと、第２配線基板３２の一方の基板面３２ｍとは、＋Ｚ方向を向いて配置されている。第２駆動用ＩＣ２２は、基板面３２ｍに実装されているため、第２駆動用ＩＣ２２の複数の出力端子に繋がる配線に電気的に接続することは容易である。これに対して、第１配線基板３１は、＋Ｚ方向において第２配線基板３２と重なっている。第１駆動用ＩＣ２１は基板面３１ｍに実装されているため、第１駆動用ＩＣ２１の複数の出力端子に繋がる配線に電気的に接続するには、第２配線基板３２が妨げとなる。
【００７１】
そこで、発明者らは、第１配線基板３１および第２配線基板３２が重ねられて実装されても、第２駆動用ＩＣ２２のみならず第１駆動用ＩＣ２１の複数の出力端子に繋がる配線に電気的に対して容易に接続可能な、第１端子群１６１および第２端子群１６２の配置を含む構成を考案した。以下、液晶装置１の実装に係る構成について、図面を参照して説明する。
【００７２】
１．３．液晶装置の実装に係る構成
図６は、液晶パネルにおける第１端子群および第２端子群の配置を示す平面図である。図７は、第１配線基板の構成を示す平面図である。図８は、第１配線基板および第２配線基板を端子部に実装した状態を示す平面図である。なお、図６では、液晶パネル１００において、素子基板１０１、対向基板１０２、端子部１０５、端部１０５ａ、表示領域１１０、第１端子群１６１および第２端子群１６２以外の構成を省略している。また、図７および図８は、−Ｚ方向から見た状態を示す図６に対して、反対の＋Ｚ方向から見た状態、換言すれば、各種配線などが設けられた面を示している。
【００７３】
図６に示すように、素子基板１０１の＋Ｙ方向に突出した端子部１０５には、第１端子群１６１と第２端子群１６２とが設けられている。第１端子群１６１と第２端子群１６２とは、各々複数の端子が−Ｘ方向に沿って配列され、−Ｘ方向に細長い領域を占めている。第１端子群１６１と第２端子群１６２とは、平面視で−Ｘ方向および＋Ｙ方向にずれて配置されている。
【００７４】
第１端子群１６１および第２端子群１６２の、−Ｘ方向および＋Ｙ方向に沿う長さは等しい。第２端子群１６２は、端部１０５ａの近傍に位置し、第１端子群１６１は、第２端子群１６２と表示領域１１０との間に位置している。第１端子群１６１と第２端子群１６２とは、＋Ｙ方向に距離Ｄ１離れている。第２端子群１６２は、第１端子群１６１に対して、−Ｘ方向へ距離Ｄ２ずれている。すなわち、第２端子群１６２は、第１端子群１６１よりも第１方向としての−Ｘ方向に距離Ｄ２ずれると共に、第１端子群１６１と＋Ｙ方向に距離Ｄ１離されて配置されている。
【００７５】
図７に示すように、第１配線基板３１は、外形が長方形であり、第１駆動用ＩＣ２１が中央から＋Ｙ方向寄りに実装されている。第１配線基板３１は、接続用端子群３１ｔ、モニター部としてのモニター用パッド３１２，３１３，３１４，３１５を有している。４個のモニター用パッド３１２，３１３，３１４，３１５は、第１駆動用ＩＣ２１と電気的に接続されている。なお、第１配線基板３１は、−Ｙ方向側が第１端子群１６１に電気的に接続される。ここで、図７では、第１駆動用ＩＣ２１が有する、後述する入力端子および出力端子を透過させて図示している。
【００７６】
第１駆動用ＩＣ２１は、複数の入力端子２１ａと複数の出力端子２１ｂとを有している。第１駆動用ＩＣ２１は、略矩形状であって、±Ｙ方向に対向する辺のうち、＋Ｙ方向側の辺に複数の入力端子２１ａが配置され、−Ｙ方向側の辺に複数の出力端子２１ｂが配置されている。複数の入力端子２１ａと複数の出力端子２１ｂとは、第１配線基板３１における、第１駆動用ＩＣ２１の実装面に設けられている。すなわち、入力端子２１ａおよび出力端子２１ｂは、ベアチップである第１駆動用ＩＣ２１の能動面に設けられている。
【００７７】
複数の入力端子２１ａには、各種信号および各種電源電圧が入力される。複数の出力端子２１ｂからは、各種信号が出力される。
【００７８】
モニター用パッド３１３は、配線群３１１ａのうちの−Ｘ方向の端の配線に電気的に接続されている。モニター用パッド３１３が電気的に接続された配線に対して、−Ｘ方向に隣り合う配線３１１ｂに、モニター用パッド３１２が電気的に接続されている。モニター用パッド３１２，３１３は、±Ｘ方向に隣り合って配置されている。これらのモニター用パッドは配線パターンから突き出た形態としたが、配線を一部太らせた形態としてもよい。またモニター用パッドについては当該部のレジストを予め除去した第１配線基板３１を形成してもよい。あるいはレジストで覆った第１配線基板３１を形成し、必要に応じてピンセット等でレジストを擦り落として信号を測定するようにしてもよい。このようにモニター用パッドは様々な形態を採用可能であり、モニター部とすることができる。さらにモニター用パッドは例えば配線群３１１ａに限らず、液晶パネル１００への供給電源配線や駆動用ＩＣ２１への入力配線に設ける形態も採用してよい。
【００７９】
モニター用パッド３１５は、配線群３１１ａのうちの＋Ｘ方向の端の配線に電気的に接続されている。モニター用パッド３１５が電気的に接続された配線に対して、＋Ｘ方向に隣り合う配線３１１ｃに、モニター用パッド３１４が電気的に接続されている。モニター用パッド３１４，３１５は、±Ｙ方向に隣り合って配置されている。
【００８０】
ここで、第１配線基板３１において、第１駆動用ＩＣ２１に電気的に接続されていない複数の配線には、図５に示した電源電圧である、共通電圧ＬＣＣＯＭ、基準電圧ＶＳＳＹおよび駆動電圧ＶＤＤＹのうちのいずれかが供給される。
【００８１】
端子部１０５に第１配線基板３１を実装する際には、端子部１０５の第１端子群１６１に対して、第１配線基板３１の端子合わせ用マーク３１９を用いて、＋Ｘ方向および＋Ｙ方向における相対的な位置合わせを行ってもよい。
【００８２】
ここで、±Ｙ方向に隣り合うモニター用パッド３１４，３１５を、モニター用パッドの一方の組と呼び、±Ｘ方向に隣り合うモニター用パッド３１２，３１３を、モニター用パッドの他方の組と呼ぶ。モニター用パッドの、一方の組および他方の組は、第１配線基板３１における±Ｘ方向の中心線に対して、略対象な位置に設けられている。
【００８３】
モニター用パッドの一方の組は、上記中心線に対して、第１配線基板３１の＋Ｘ方向側の辺に近付くように、且つ、第１配線基板３１の±Ｙ方向の中心線付近へ、配線パターンが引き出されている。詳しくは、モニター用パッド３１４，３１５は、第１配線基板３１の＋Ｘ方向側の辺から距離Ｄ２までの領域に配置されている。モニター用パッドの他方の組は、上記中心線に対して、第１配線基板３１の−Ｘ方向側の辺に近付くように、且つ、第１配線基板３１の±Ｙ方向の中心線付近へ、配線パターンが引き出されている。モニター用パッド３１２，３１３，３１４，３１５は、例えば、平面視にてルーペなどで視認可能な大きさとする。
【００８４】
第１配線基板３１に対して、第２配線基板３２は、形状および寸法において同じ設計となっている。つまり、第２配線基板３２は、第２駆動用ＩＣ２２が実装されると共に、接続用端子群、モニター部としての４個のモニター用パッドなどを有している。そのため、第２配線基板３２および第２駆動用ＩＣ２２の詳細な説明は省略する。このように第１配線基板３１と第２配線基板３２とを共通にすることにより、第１配線基板３１および第２配線基板３２のコストダウンを図ることが容易になる。なお、第２配線基板３２は、第１配線基板３１と同じ設計であることに限定されず、第１配線基板３１とは別の形態であってもよい。
【００８５】
図８に示すように、端子部１０５に第１配線基板３１および第２配線基板３２が重ねられて実装されると、第１配線基板３１の＋Ｚ方向側に第２配線基板３２が位置する。
【００８６】
第２配線基板３２は、第１配線基板３１のモニター部としてのモニター用パッド３１４，３１５と重ならないように、第１配線基板３１よりも−Ｘ方向にずれて配置されている。詳しくは、第１端子群１６１は、第２端子群１６２に対して、−Ｙ方向に距離Ｄ１離れ、＋Ｘ方向に距離Ｄ２ずれて設けられているため、第１端子群１６１に電気的に接続される第１配線基板３１も、第２端子群１６２に電気的に接続される第２配線基板３２に対して、同様にずれて配置される。すなわち、第１配線基板３１も、第２配線基板３２に対して、−Ｙ方向に距離Ｄ１離れ、＋Ｘ方向に距離Ｄ２ずれて配置される。換言すれば、第２配線基板３２は、第１配線基板３１に対して、＋Ｙ方向に距離Ｄ１離れ、−Ｘ方向に距離Ｄ２ずれて配置されている。
【００８７】
上記の構成によって、第１配線基板３１のモニター用パッド３１４，３１５が、第２配線基板３２と重なることなく、＋Ｚ方向側に露出する。したがって、第２配線基板３２のモニター用パッドに加えて、第１配線基板３１のモニター用パッド３１４，３１５を用いて、第１駆動用ＩＣ２１および第２駆動用ＩＣ２２における複数の出力端子に繋がる配線に対して容易に電気的に接続することができる。
【００８８】
以上に述べたように、本実施形態に係る電気光学装置としての液晶装置１によれば、以下の効果を得ることができる。
【００８９】
第１配線基板３１における駆動素子としての第１駆動用ＩＣ２１の出力信号や電源ノイズを、従来よりも容易に確認することができる。詳しくは、画素１１１の高解像度化に対応するために、電気光学装置としての液晶装置１には第１端子群１６１と第２端子群１６２とが備わっている。第１配線基板３１と第２配線基板３２とは、第１端子群１６１および第２端子群１６２のそれぞれと電気的に接続され、重ねられて配置されている。第２配線基板３２は、第１配線基板３１における第１駆動用ＩＣ２１からのモニター部としてのモニター用パッド３１４，３１５と重ならないように第１方向としての−Ｘ方向にずれて配置される。そのため、重ねられた第１配線基板３１および第２配線基板３２の−Ｚ方向側に、第１配線基板３１の配線が存在しても、モニター用パッド３１４，３１５を用いて出力信号や電源ノイズの確認を行うことが可能となる。したがって、出力信号や電源ノイズの確認が容易な液晶装置１を提供することができる。
【００９０】
第１配線基板３１と第２配線基板３２とを共通にすることにより、第１配線基板３１および第２配線基板３２のコストダウンを図ることが容易になる。
【００９１】
第１延長基板４１は、＋Ｙ方向の端部が＋Ｘ方向に屈曲し、第２延長基板４２は、＋Ｙ方向の端部が−Ｘ方向に屈曲しているため、第１延長基板４１が−Ｘ方向に屈曲し、第２延長基板４２が＋Ｘ方向に屈曲する場合と比べて、第１延長基板４１および第２延長基板４２の幅を小さくすることができる。詳しくは、第１延長基板４１の＋Ｙ方向の端部と、第２延長基板４２の＋Ｙ方向の端部とを、平面的に配置するには、第１延長基板４１および第２延長基板４２のどちらか一方、または両方を屈曲した形状とする必要がある。第１延長基板４１および第２延長基板４２における±Ｘ方向の長さ、すなわち幅は、小さいことがコスト上好ましい。第２配線基板３２は、第１配線基板３１に対して−Ｘ方向へずれて配置されるため、第２延長基板４２も第１延長基板４１に対して、−Ｘ方向へずれて配置される。そのため、第１延長基板４１および第２延長基板４２の屈曲を緩やかにすることができる。
【００９２】
２．第２実施形態
２．１．液晶装置の実装に係る構成
本実施形態では、電気光学装置としてアクティブ駆動型の液晶装置を例に挙げ、本実施形態に係る液晶装置の実装に係る構成について、図９、図１０、図１１を参照して説明する。図９は、第２実施形態に係る液晶パネルにおける第１端子群および第２端子群の配置を示す平面図である。図１０は、第１配線基板の構成を示す平面図である。図１１は、第１配線基板および第２配線基板を端子部に実装した状態を示す平面図である。
【００９３】
ここで、本実施形態に係る液晶装置は、第１実施形態の液晶装置１に対して、第１端子群および第２端子群の配置と、第１配線基板および第２配線基板の形状と、を異ならせたものである。そのため、第１実施形態と同一の構成部位については、同一の符号を使用し、重複する説明は省略する。
【００９４】
なお、図９では、本実施形態の液晶装置が備える液晶パネル２００において、素子基板２０１、対向基板１０２、端子部２０５、端部２０５ａ、表示領域１１０、第１端子群２６１および第２端子群２６２以外の構成を省略している。また、図１０および図１１では、−Ｚ方向から見た状態を示す図９に対して、反対の＋Ｚ方向から見た状態、換言すれば、各種配線などが設けられた面を示している。
【００９５】
本実施形態の電気光学装置としての液晶装置は、電気光学パネルである液晶装置、第１配線基板および第２配線基板などを備えている。
【００９６】
図９に示すように、本実施形態の液晶装置が備える液晶パネル２００は、透過型であって、例えば、石英基板などの透光性基板によって構成され、対向して配置された素子基板２０１および対向基板１０２と、これら一対の基板の間に挟持された液晶層と、表示領域１１０と、を有している。
【００９７】
素子基板２０１における、液晶パネル２００の対向基板１０２から＋Ｙ方向に突出した部分が端子部２０５である。端子部２０５には、第１端子群２６１と第２端子群２６２とが設けられている。第１端子群２６１と第２端子群２６２とは、各々複数の端子が−Ｘ方向に沿って配列され、−Ｘ方向に細長い領域を占めている。第１端子群２６１と第２端子群２６２とは、平面視で−Ｘ方向および＋Ｙ方向にずれて配置されている。
【００９８】
第１端子群２６１および第２端子群２６２の、−Ｘ方向および＋Ｙ方向に沿う長さは等しい。第２端子群２６２は、端部２０５ａの近傍に位置し、第１端子群２６１は、第２端子群２６２と表示領域１１０との間に位置している。第１端子群２６１と第２端子群２６２とは、＋Ｙ方向に距離Ｄ１離れている。
【００９９】
ここで、第２端子群２６２の±Ｙ方向の長さを長さＤ４とすると、第２端子群２６２は、第１端子群２６１に対して、＋Ｙ方向へ距離（Ｄ１＋Ｄ４）ずれている。また、第２端子群２６２は、第１端子群２６１に対して、−Ｘ方向へ距離Ｄ３ずれている。すなわち、第２端子群２６２は、第１端子群２６１よりも第１方向としての−Ｘ方向に距離Ｄ３ずれると共に、第１端子群２６１に対して＋Ｙ方向に距離Ｄ１離されて配置されている。
【０１００】
第１端子群２６１には、後述する第１配線基板が電気的に接続される。第２端子群２６２には、後述する第２配線基板が電気的に接続される。
【０１０１】
図１０に示すように、第１配線基板２３１は、外形が長方形であり、第１駆動用ＩＣ２１が中央から＋Ｙ方向寄りに実装されている。第１配線基板２３１は、接続用端子群２３１ｔ、モニター部としてのモニター用パッド３２２，３２３，３２４，３２５を有している。４個のモニター用パッド３２２，３２３，３２４，３２５は、第１駆動用ＩＣ２１と電気的に接続されている。
【０１０２】
第１駆動用ＩＣ２１の複数の入力端子２１ａと複数の出力端子２１ｂとは、第１配線基板２３１における、第１駆動用ＩＣ２１の実装面に設けられている。すなわち、入力端子２１ａおよび出力端子２１ｂは、ベアチップである第１駆動用ＩＣ２１の能動面に設けられている。
【０１０３】
モニター用パッド３２３は、配線群３２１ａのうちの−Ｘ方向の端の配線に電気的に接続されている。モニター用パッド３２２は、モニター用パッド３２３が電気的に接続された配線に対して、−Ｘ方向に隣り合う配線３２１ｂに電気的に接続されている。モニター用パッド３２２，３２３は、±Ｘ方向に隣り合って配置されている。
【０１０４】
モニター用パッド３２５は、配線群３２１ａのうちの＋Ｘ方向の端の配線に電気的に接続されている。モニター用パッド３２４は、モニター用パッド３２５が電気的に接続された配線に対して、＋Ｘ方向に隣り合う配線３２１ｃに電気的に接続されている。モニター用パッド３２４，３２５は、±Ｙ方向に隣り合って配置されている。
【０１０５】
ここで、第１配線基板２３１において、第１駆動用ＩＣ２１に電気的に接続されていない複数の配線には、図５に示した電源電圧である、共通電圧ＬＣＣＯＭ、基準電圧ＶＳＳＹおよび駆動電圧ＶＤＤＹのうちのいずれかが供給される。
【０１０６】
端子部２０５に第１配線基板２３１を実装する際には、端子部２０５の第１端子群２６１に対して、第１配線基板２３１の端子合わせ用マーク３２９を用いて、＋Ｘ方向および＋Ｙ方向における相対的な位置合わせを行ってもよい。
【０１０７】
ここで、±Ｙ方向に隣り合うモニター用パッド３２４，３２５を、モニター用パッドの一方の組と呼び、±Ｘ方向に隣り合うモニター用パッド３２２，３２３を、モニター用パッドの他方の組と呼ぶ。モニター用パッドの、一方の組および他方の組は、第１配線基板２３１における±Ｘ方向の中心線に対して、略対象な位置に設けられている。
【０１０８】
モニター用パッドの一方の組は、上記中心線に対して、第１配線基板２３１の＋Ｘ方向側の辺に近付くように、且つ、第１配線基板２３１の±Ｙ方向の中心線付近へ、配線パターンが引き出されている。詳しくは、モニター用パッド３２４，３２５は、第１配線基板２３１の＋Ｘ方向側の辺から距離Ｄ７までの領域に配置されている。モニター用パッドの他方の組は、上記中心線に対して、第１配線基板２３１の−Ｘ方向側の辺に近付くように、且つ、第１配線基板２３１の±Ｙ方向の中心線付近へ、配線パターンが引き出されている。モニター用パッド３２２，３２３，３２４，３２５は、例えば、平面視にてルーペなどで視認可能な大きさとする。
【０１０９】
第１配線基板２３１の＋Ｘ方向側の辺には、切欠き部３２７が設けられている。切欠き部３２７は、モニター用パッド３２４，３２５に対して、−Ｙ方向寄りに配置されている。切欠き部３２７は、平面視にて略Ｖ字状であって、±Ｙ方向の長さが−Ｘ方向側に向かって小さくなっている。換言すれば、第１配線基板２３１の＋Ｘ方向側の辺は、切欠き部３２７によって−Ｘ方向側に凹んだ形状となっている。第１配線基板２３１における＋Ｘ方向側の辺の近傍に設けられた配線は、切欠き部３２７の形状に合わせて、屈曲されている。
【０１１０】
±Ｙ方向において、隣り合うモニター用パッド３２４，３２５の間の中心と、切欠き部３２７において最も−Ｘ方向側に凹んだ領域との距離を、距離Ｄ５とする。距離Ｄ５は、距離（Ｄ１＋Ｄ４）に近しい。
【０１１１】
第１配線基板２３１において、切欠き部３２７を除いた、直線状の＋Ｘ方向側の辺と、切欠き部３２７の最も−Ｘ方向側に凹んだ領域と、の±Ｘ方向の距離を距離Ｄ６とする。距離Ｄ７は、距離（Ｄ３＋Ｄ６）に近しい。
【０１１２】
本実施形態では、切欠き部３２７が略Ｖ字状である形態を例示したが、切欠き部３２７の形態はこれに限定されない。切欠き部３２７は、平面視にて、略Ｕ字状や円弧状であってもよく、多角形の１辺を省いた形状であってもよい。
【０１１３】
第１配線基板２３１に対して、第２配線基板２３２は、形状および寸法において同じ設計となっている。つまり、第２配線基板２３２は、第２駆動用ＩＣ２２が実装されると共に、接続用端子群、モニター部としての４個のモニター用パッド、切欠き部などを有している。そのため、第２配線基板２３２および第２駆動用ＩＣ２２の詳細な説明は省略する。このように第１配線基板２３１と第２配線基板２３２とを共通にすることにより、第１配線基板２３１および第２配線基板２３２のコストダウンを図ることが容易になる。なお、第２配線基板２３２は、第１配線基板２３１と同じ設計であることに限定されず、第１配線基板２３１とは別の形態であってもよい。
【０１１４】
図１１に示すように、端子部２０５に第１配線基板２３１および第２配線基板２３２が重ねられて実装されると、第１配線基板２３１の＋Ｚ方向側に第２配線基板２３２が位置する。
【０１１５】
第２配線基板２３２は、第１配線基板２３１のモニター部としてのモニター用パッド３２４，３２５と重ならないように、切欠き部３３７が設けられると共に、第１配線基板２３１よりも−Ｘ方向にずれて配置されている。詳しくは、第１端子群２６１は、第２端子群２６２に対して、−Ｙ方向に距離Ｄ１離れ、＋Ｘ方向に距離Ｄ３ずれて設けられているため、第１端子群２６１に電気的に接続される第１配線基板２３１も、第２端子群２６２に電気的に接続される第２配線基板２３２に対して、同様にずれて配置される。すなわち、第１配線基板２３１も、第２配線基板２３２に対して、−Ｙ方向に距離Ｄ１離れ、＋Ｘ方向に距離Ｄ３ずれて配置される。換言すれば、第２配線基板２３２は、第１配線基板２３１に対して、＋Ｙ方向に距離Ｄ１離れ、−Ｘ方向に距離Ｄ３ずれて配置されている。
【０１１６】
上記の構成によって、第１配線基板２３１のモニター用パッド３２４，３２５が、第２配線基板２３２と重なることなく、＋Ｚ方向側に露出する。したがって、第２配線基板２３２のモニター用パッドに加えて、第１配線基板２３１のモニター用パッド３２４，３２５を用いて、第１駆動用ＩＣ２１および第２駆動用ＩＣ２２における複数の出力端子に繋がる配線に対して容易に電気的に接続することができる。
【０１１７】
以上に述べたように、本実施形態に係る電気光学装置としての液晶装置によれば、第１実施形態における効果に加えて、以下の効果を得ることができる。
【０１１８】
第２配線基板２３２に切欠き部３３７がない場合に比べて、第１配線基板２３１に対して第２配線基板２３２を−Ｘ方向にずらす距離Ｄ３を小さくすることができる。詳しくは、距離Ｄ３を小さくしても、切欠き部３３７によって、第１配線基板２３１のモニター用パッド３２４，３２５と第２配線基板２３２とが重なりにくくなる。距離Ｄ３が小さくなるため、液晶装置の−Ｘ方向における長さを小さくしやすくなる。これにより、液晶装置を小型化することができる。
【０１１９】
３．第３実施形態
３．１．液晶装置の実装に係る構成
本実施形態では、電気光学装置としてアクティブ駆動型の液晶装置を例に挙げ、本実施形態に係る液晶装置の実装に係る構成について、図１２、図１３を参照して説明する。図１２は、第３実施形態に係る第１配線基板の構成を示す平面図である。図１３は、第１配線基板および第２配線基板を端子部に実装した状態を示す平面図である。
【０１２０】
ここで、本実施形態に係る液晶装置は、第２実施形態の液晶装置に対して、第１配線基板および第２配線基板における、配線の形態を異ならせたものである。そのため、第２実施形態と同一の構成部位については、同一の符号を使用し、重複する説明は省略する。
【０１２１】
図１２に示すように、第１配線基板３３１は、外形が長方形であり、第１駆動用ＩＣ２１が中央から＋Ｙ方向寄りに実装されている。第１配線基板３３１は、接続用端子群３３１ｔ、第１配線としての配線３２１ｃ、第２配線としての配線３２１ｄ、モニター部としてのモニター用パッド３２２，３２３，３２４，３２５，３２６を有している。５個のモニター用パッド３２２，３２３，３２４，３２５，３２６は、第１駆動用ＩＣ２１と電気的に接続されている。本実施形態の第１配線基板３３１は、第２実施形態の第１配線基板２３１に対して、配線３２１ｄおよびモニター用パッド３２６が追加されている。なお、図１２では、第１駆動用ＩＣ２１が有する、入力端子２１ａおよび出力端子２１ｂと、配線３２１ｄとを透過させて図示している。
【０１２２】
第１駆動用ＩＣ２１の複数の入力端子２１ａと複数の出力端子２１ｂとは、第１配線基板３３１における、第１駆動用ＩＣ２１の実装面に設けられている。すなわち、入力端子２１ａおよび出力端子２１ｂは、ベアチップである第１駆動用ＩＣ２１の能動面に設けられている。
【０１２３】
配線３２１ｃは、第１駆動用ＩＣ２１の複数の出力端子２１ｂのうち、一端側としての＋Ｘ方向側に設けられた出力端子２１ｂと、モニター部としてのモニター用パッド３２４とを、電気的に接続する。配線３２１ｄは、第１駆動用ＩＣ２１の複数の出力端子２１ｂのうち、他端側としての−Ｘ方向側に設けられた出力端子２１ｂと、他のモニター部としてのモニター用パッド３２６とを、電気的に接続する。
【０１２４】
モニター用パッド３２３は、配線群３２１ａのうちの−Ｘ方向の端の配線に電気的に接続されている。モニター用パッド３２２は、モニター用パッド３２３が電気的に接続された配線に対して、−Ｘ方向に隣り合う配線３２１ｂに電気的に接続されている。モニター用パッド３２２，３２３は、±Ｘ方向に隣り合って配置されている。
【０１２５】
モニター用パッド３２５は、配線群３２１ａのうちの＋Ｘ方向の端の配線に電気的に接続されている。モニター用パッド３２４およびモニター用パッド３２６は、それぞれ第１配線基板３３１における、一の長辺側としての＋Ｘ方向側に配置されている。モニター用パッド３２４は、モニター用パッド３２５が電気的に接続された配線に対して、＋Ｘ方向に隣り合う配線３２１ｃに電気的に接続されている。モニター用パッド３２６は、モニター用パッド３２２が電気的に接続された配線に電気的に接続されている。モニター用パッド３２４，３２５，３２６は、±Ｙ方向に並んで配置されている。
【０１２６】
配線３２１ｄは、第１駆動用ＩＣ２１の−Ｘ方向側に設けられた出力端子２１ｂと、モニター用パッド３２６とを繋ぐために、平面視にて第１駆動用ＩＣ２１と重なる位置を延在している。換言すれば、配線３２１ｄは、第１駆動用ＩＣ２１の−Ｚ方向側に設けられている。
【０１２７】
ここで、第１配線基板３３１において、第１駆動用ＩＣ２１に電気的に接続されていない複数の配線には、図５に示した電源電圧である、共通電圧ＬＣＣＯＭ、基準電圧ＶＳＳＹおよび駆動電圧ＶＤＤＹのうちのいずれかが供給される。
【０１２８】
ここで、±Ｙ方向に隣り合うモニター用パッド３２４，３２５，３２６を、モニター用パッドの一方の組と呼び、±Ｘ方向に隣り合うモニター用パッド３２２，３２３を、モニター用パッドの他方の組と呼ぶ。モニター用パッドの、一方の組および他方の組は、第１配線基板３３１における±Ｘ方向の中心線に対して、略対象な位置に設けられている。
【０１２９】
モニター用パッドの一方の組は、上記中心線に対して、第１配線基板３３１の＋Ｘ方向側の辺に近付くように、且つ、第１配線基板３３１の±Ｙ方向の中心線付近へ、配線パターンが引き出されている。モニター用パッドの他方の組は、上記中心線に対して、第１配線基板３３１の−Ｘ方向側の辺に近付くように、且つ、第１配線基板３３１の±Ｙ方向の中心線付近へ、配線パターンが引き出されている。モニター用パッド３２２，３２３，３２４，３２５，３２６は、例えば、平面視にてルーペなどで視認可能な大きさとする。
【０１３０】
第１配線基板３３１の＋Ｘ方向側の辺には、切欠き部３２７が設けられている。切欠き部３２７は、モニター用パッド３２４，３２５，３２６に対して、−Ｙ方向寄りに配置されている。切欠き部３２７は、平面視にて略Ｖ字状であって、±Ｙ方向の長さが−Ｘ方向側に向かって小さくなっている。換言すれば、第１配線基板３３１の＋Ｘ方向側の辺は、切欠き部３２７によって−Ｘ方向側に凹んだ形状となっている。第１配線基板３３１における＋Ｘ方向側の辺の近傍に設けられた配線は、切欠き部３２７の形状に合わせて、屈曲されている。
【０１３１】
第１配線基板３３１の複数の配線のうち、最も＋Ｘ方向側の配線３３１ａには、切欠き部３２７に沿ってモニター用パッド３２４，３２５，３２６の識別部３３９ａ，３３９ｂ，３３９ｃが配置されている。本実施形態の第１配線基板３３１は、第２実施形態の第１配線基板２３１に対して、識別部３３９ａ，３３９ｂ，３３９ｃが追加されている。これらの識別部は、第１配線基板３３１の配線パターンと同一層で形成したり、シルク印刷等により形成することができる。識別部は文字、記号など、判別できる形態であればよい。
【０１３２】
さらに、識別部３３９ａ，３３９ｂ，３３９ｃでは、配線３３１ａの平面視における面積が大きく形成されている。これにより、識別部３３９ａ，３３９ｂ，３３９ｃが設けられた配線３３１ａの配線抵抗を低減することが可能となる。そのため、例えば、配線３３１ａに共通電圧ＬＣＣＯＭが供給される場合に、配線３３１ａの配線抵抗が低減されると、駆動的に重畳されたノイズを、速やかに所定の電位へ緩和させることができる。
【０１３３】
第１配線基板３３１に対して、第２配線基板３３２は、形状および寸法において同じ設計となっている。つまり、第２配線基板３３２は、第２駆動用ＩＣ２２が実装されると共に、接続用端子群、モニター部としての５個のモニター用パッド、切欠き部などを有している。そのため、第２配線基板３３２および第２駆動用ＩＣ２２の詳細な説明は省略する。このように第１配線基板３３１と第２配線基板３３２とを共通にすることにより、第１配線基板３３１および第２配線基板３３２のコストダウンを図ることが容易になる。
【０１３４】
図１３に示すように、端子部２０５に第１配線基板３３１および第２配線基板３３２が重ねられて実装されると、第１配線基板３３１の＋Ｚ方向側に第２配線基板３３２が位置する。
【０１３５】
第２配線基板３３２は、第１配線基板３３１のモニター部としてのモニター用パッド３２４，３２５と重ならないように、切欠き部３３７が設けられると共に、第１配線基板３３１よりも−Ｘ方向にずれて配置されている。第１配線基板３３１のモニター用パッド３２６は、モニター用パッド３２４，３２５と同様に、第２配線基板３３２と重ならない位置に設けられている。
【０１３６】
第２配線基板３３２は、識別部３３９ｄ，３３９ｅ，３３９ｆを有している。識別部３３９ｄは、第１配線基板３３１の識別部３３９ａに相当する位置に設けられている。識別部３３９ｅは、第１配線基板３３１の識別部３３９ｂに相当する位置に設けられている。識別部３３９ｆは、第１配線基板３３１の識別部３３９ｃに相当する位置に設けられている。
【０１３７】
端子部２０５に第１配線基板３３１および第２配線基板３３２が実装されると、識別部３３９ｄがモニター用パッド３２５を指示し、識別部３３９ｅがモニター用パッド３２４を指示し、識別部３３９ｆがモニター用パッド３２６を指示する。
【０１３８】
なお、本実施形態では、第１配線基板３３１の切欠き部３２７、および第２配線基板３３２の切欠き部３３７を備えた形態を例示したが、これに限定されない。第１配線基板３３１および第２配線基板３３２は、切欠き部３２７，３３７を備えていなくてもよい。
【０１３９】
以上に述べたように、本実施形態に係る電気光学装置としての液晶装置によれば、第２実施形態における効果に加えて、以下の効果を得ることができる。
【０１４０】
第１配線基板３３１における第１駆動用ＩＣ２１の−Ｘ方向側の出力端子が、第１駆動用ＩＣ２１と平面視で重なる領域を経る配線３２１ｄによって＋Ｘ方向側に引き回される。配線３２１ｄは、＋Ｘ方向側に設けられたモニター用パッド３２６と電気的に接続される。そのため、第１駆動用ＩＣ２１において、第２配線基板３３２と重なる−Ｘ方向側の出力端子についても、モニター用パッド３２６を用いて出力信号や電源ノイズの確認を行うことができる。
【０１４１】
液晶装置の表示試験、解析などにおいて、第２配線基板３３２の識別部３３９ｄ，３３９ｅ，３３９ｆにより、第１配線基板３３１のモニター用パッド３２４，３２５，３２６が識別されやすくなる。そのため、図面等に記載された信号名を都度参照することによる視線移動を軽減して、上記表示試験の利便性を向上させることができる。
【０１４２】
識別部３３９ａ，３３９ｂ，３３９ｃでは、配線３３１ａの平面視における面積が大きく形成されているため、識別部３３９ａ，３３９ｂ，３３９ｃが設けられた配線３３１ａの配線抵抗を低減することができる。
【０１４３】
４．第４実施形態
４．１．液晶装置の実装に係る構成
本実施形態では、電気光学装置としてアクティブ駆動型の液晶装置を例に挙げ、本実施形態に係る液晶装置の実装に係る構成について、図面を参照して説明する。まず、液晶装置が備える液晶パネルの構成について図１４を参照して説明する。図１４は、第４実施形態に係る液晶パネルにおける第１端子群および第２端子群の配置を示す平面図である。
【０１４４】
ここで、本実施形態に係る液晶装置は、第１実施形態の液晶装置１に対して、第１端子群および第２端子群の配置と、第１配線基板および第２配線基板の形状と、を異ならせたものである。そのため、第１実施形態と同一の構成部位については、同一の符号を使用し、重複する説明は省略する。
【０１４５】
図１４に示すように、本実施形態の液晶装置が備える液晶パネル４００は、透過型であって、例えば、石英基板などの透光性基板によって構成され、対向して配置された素子基板４０１および対向基板４０２と、これら一対の基板の間に挟持された液晶層と、表示領域４１０と、を有している。対向基板４０２は、素子基板４０１に対して、光Ｌａの入射側、すなわち−Ｚ方向側に配置される。液晶パネル４００は、＋Ｘ方向および＋Ｙ方向にマトリクス状に配置された複数の、図示しない画素を有している。複数の画素がマトリクス状に配置された領域が表示領域４１０である。なお、表示領域４１０は、液晶パネル４００の表示に寄与しないダミー画素を含んでいてもよい。
【０１４６】
素子基板４０１における、液晶パネル４００の対向基板４０２から＋Ｙ方向に突出した部分が端子部４０５である。端子部４０５には、外部接続用の第１端子群４６１および第２端子群４６２が設けられている。第２端子群４６２は、端部４０５ａ近傍に配置されている。第１端子群４６１は、第２端子群４６２と表示領域４１０との間に配置されている。液晶パネル４００は、走査線駆動回路４４１，４４２、データ線選択回路４５０を備えている。
【０１４７】
素子基板４０１には、表示領域４１０と第１端子群４６１および第２端子群４６２との間に、＋Ｘ方向に沿ってデータ線選択回路４５０が設けられている。走査線駆動回路４４１，４４２は、データ線選択回路４５０が設けられた１辺と交差する他の辺と表示領域４１０との間に、＋Ｙ方向に沿って設けられている。走査線駆動回路４４１，４４２は、上記１辺と対向する１辺に設けられたクロック信号を含む駆動信号線４３３によって、電気的に接続されている。
【０１４８】
第２端子群４６２は、第１端子群４６１に沿って配置されている。詳しくは、第１端子群４６１および第２端子群４６２では、それぞれ第１方向としての−Ｘ方向に沿って、複数の端子が配列されている。第１端子群４６１と第２端子群４６２とは、端子部４０５の端部４０５ａから−Ｙ方向に間隔を空けて設けられている。第２端子群４６２は、第１端子群４６１に対して、端部４０５ａ寄りに配置されている。第１端子群４６１の−Ｘ方向に沿う長さは、第２端子群４６２の−Ｘ方向に沿う長さよりも長い。換言すれば、±Ｘ方向において、第２端子群４６２の実装領域は、第１端子群４６１の長さよりも短く形成されている。
【０１４９】
液晶パネル４００では、第１端子群４６１が有する複数の端子の数は、第２端子群４６２が有する複数の端子の数よりも多い。第１端子群４６１には、電気的に接続される、図示しない第１駆動用ＩＣ２１から各種信号が入力される。第２端子群４６２には、電気的に接続される、図示しない第２駆動用ＩＣ２２から各種信号が入力される。具体的には、第１端子群４６１には、液晶パネル４００の駆動電源である、基準電圧ＶＳＳＹ、駆動電圧ＶＤＤＹ、共通電圧ＬＣＣＯＭ、および各種駆動信号、映像信号などが入力される。第２端子群４６２には、共通電圧ＬＣＣＯＭ、映像信号などが入力される。
【０１５０】
なお、本実施形態では、第１端子群４６１が有する複数の端子の数を、第２端子群４６２が有する複数の端子の数よりも多い構成を例示したが、これに限定されない。±Ｘ方向において、第２端子群４６２の実装領域が、第１端子群４６１の実装領域よりも短ければよい。ここで、第１端子群４６１が有する複数の端子の数を、第２端子群４６２が有する複数の端子の数よりも少なくした上で、±Ｘ方向における、第２端子群４６２の実装領域が、第１端子群４６１の長さよりも短い構成を、図１５を参照して説明する。図１５は、第１端子群および第２端子群における構成の一例を示す模式図である。
【０１５１】
図１５に示すように、第１端子群４６１には複数の端子として、＋Ｘ方向に向かって、端子群４６１ａ，４６１ｂ，４６１ｃ，４６１ｄが設けられている。第２端子群４６２には複数の端子として、＋Ｘ方向に向かって、端子群４６２ａ，４６２ｂ，４６２ｃ，４６２ｄ，４６２ｅ，４６２ｆが設けられている。
【０１５２】
まず、端子の数について説明する。端子群４６１ａは、共通電圧ＬＣＣＯＭ、基準電圧ＶＳＳＹ、駆動電圧ＶＤＤＹを供給する電源端子と、クロック信号端子などとから成り、端子数は７個である。端子群４６１ｂは、その他の制御信号端子から成り、端子数は４個である。端子群４６１ｃは、画像信号端子から成り、端子数は２４０個である。端子群４６１ｄは、制御信号端子と電源端子とから成り、端子数は１１個である。この構成により、第１端子群４６１が有する端子の数は、２６２個となる。
【０１５３】
端子群４６２ａは、ダミー端子２個である。端子群４６２ｂは、共通電圧ＬＣＣＯＭを供給する電源端子から成り、端子数は６個である。端子群４６２ｃは、その他の制御信号端子から成り、端子数は４個である。端子群４６２ｄは、画像信号端子から成り、端子数は２４０個である。端子群４６２ｅは、共通電圧ＬＣＣＯＭを供給する電源端子から成り、端子数は１０個である。端子群４６２ｆは、ダミー端子２個である。この構成により、第２端子群４６２が有する端子の数は、２６４個となり、第１端子群４６１が有する端子の数よりも多くなる。
【０１５４】
次に、±Ｘ方向における、第１端子群４６１および第２端子群４６２の長さ、すなわち幅について説明する。第１端子群４６１では、端子群４６１ｃにおける端子の幅を約４０μｍとし、その他の端子群４６１ａ，４６１ｂ，４６１ｄにおける端子の幅を約９６μｍとしている。端子間の距離は、約１６μｍであり、第１端子群４６１の全端子において共通としている。これにより、±Ｘ方向における、第１端子群４６１の幅Ｗ１は、約１５８９０μｍとなる。
【０１５５】
第２端子群４６２では、端子群４６２ｃにおける端子の幅を約９６μｍとし、その他を約４０μｍとしている。端子間の距離は、約１６μｍであり、第２端子群４６２の全端子において共通としている。これにより、±Ｘ方向における、第２端子群４６２の幅Ｗ２は、約１４９９０μｍとなり、第１端子群４６１の幅Ｗ１よりも短くなる。
【０１５６】
このように、第２端子群４６２の幅Ｗ２を第１端子群４６１の幅Ｗ１より短くするには、端子の幅を調整してもよい。なお、第１端子群４６１および第２端子群４６２において、±Ｘ方向の両端の端子は、後述する、第１配線基板および第２配線基板の貼り付け強度を確保するために、端子の幅を約９６μｍとするか、端子の幅が約４０μｍのダミー端子を設けることが好ましい。また、液晶パネルの駆動回路検査などにおいて、検査対象となる端子には、検査用探針を当接させるに足る端子の幅を確保することが好ましく、上述の構成では、端子の幅を約９６μｍとした。
【０１５７】
次に、第１配線基板および第２配線基板などの構成について、図１６、図１７、図１８を参照して説明する。図１６は、第１配線基板の構成を示す平面図である。図１７は、第２配線基板の構成を示す平面図である。図１８は、第１配線基板および第２配線基板を端子部に実装した状態を示す平面図である。なお、図１６、図１７、図１８は、＋Ｚ方向から見た状態、換言すれば、各種配線などが設けられた面を示している。
【０１５８】
図１６に示すように、第１配線基板４３１は、外形が長方形であり、駆動素子としての第１駆動用ＩＣ２１が中央から＋Ｙ方向寄りに実装されている。第１配線基板４３１は、接続用端子群４３１ｔ、モニター部としてのモニター用パッド４１２，４１３，４１４，４１５，４１７を有している。５個のモニター用パッド４１２，４１３，４１４，４１５，４１７は、第１駆動用ＩＣ２１と電気的に接続されている。なお、第１配線基板４３１は、−Ｙ方向側が第１端子群４６１に電気的に接続される。ここで、図１６では、第１駆動用ＩＣ２１が有する、入力端子２１ａおよび出力端子２１ｂを透過させて図示している。
【０１５９】
複数の入力端子２１ａには、各種信号および各種電源電圧が入力される。複数の出力端子２１ｂのうち、例えば、出力端子４２１ａはクロック信号を出力する端子に使用され、出力端子４２１ｂは各種信号を出力する端子に使用され、その他の出力端子２１ｂからは、画像信号が出力される。複数の入力端子２１ａと複数の出力端子２１ｂとは、第１配線基板４３１における、第１駆動用ＩＣ２１の実装面に設けられている。すなわち、入力端子２１ａおよび出力端子２１ｂは、ベアチップである第１駆動用ＩＣ２１の能動面に設けられている。
【０１６０】
モニター用パッド４１２は、配線群４１１ａのうちの−Ｘ方向の端の配線に電気的に接続されている。モニター用パッド４１２が電気的に接続された配線に対して、＋Ｘ方向に隣り合う配線に、モニター用パッド４１３が電気的に接続されている。さらに、モニター用パッド４１３が電気的に接続された配線に対して、＋Ｘ方向に隣り合う配線に、モニター用パッド４１７が電気的に接続されている。モニター用パッド４１２，４１３，４１７は、±Ｙ方向に隣り合って配置されている。
【０１６１】
モニター用パッド４１５は、配線群４１１ａのうちの＋Ｘ方向の端の配線に電気的に接続されている。モニター用パッド４１５が電気的に接続された配線に対して、＋Ｘ方向に隣り合う配線４１１ｃに、モニター用パッド４１４が電気的に接続されている。モニター用パッド４１４，４１５は、±Ｙ方向に隣り合って配置されている。
【０１６２】
ここで、第１配線基板４３１において、第１駆動用ＩＣ２１に電気的に接続されていない複数の配線には、図５に示した電源電圧である、共通電圧ＬＣＣＯＭ、基準電圧ＶＳＳＹおよび駆動電圧ＶＤＤＹのうちのいずれかが供給される。具体的には、例えば、配線４１１ｅには、共通電圧ＬＣＣＯＭが供給され、配線４１１ｆには、基準電圧ＶＳＳＹおよび駆動電圧ＶＤＤＹが供給される。
【０１６３】
図１４に示した液晶パネル４００の端子部４０５に、第１配線基板４３１を実装する際には、端子部４０５の第１端子群４６１に対して、第１配線基板４３１の端子合わせ用マーク４１９を用いて、＋Ｘ方向および＋Ｙ方向における相対的な位置合わせを行ってもよい。
【０１６４】
ここで、第１配線基板４３１において、＋Ｘ方向側に設けられたモニター用パッド４１４，４１５を、モニター用パッドの一方の組と呼び、−Ｘ方向側に設けられたモニター用パッド４１２，４１３，４１７を、モニター用パッドの他方の組と呼ぶ。モニター用パッドの、一方の組および他方の組は、第１配線基板４３１における±Ｘ方向の中心線に対して、略対象な位置に設けられている。
【０１６５】
モニター用パッドの一方の組は、上記中心線に対して、第１配線基板４３１の＋Ｘ方向側の辺に近付くように、且つ、第１配線基板４３１の±Ｙ方向の中心線付近へ、配線パターンが引き出されている。モニター用パッドの他方の組は、上記中心線に対して、第１配線基板４３１の−Ｘ方向側の辺に近付くように、且つ、第１配線基板４３１の±Ｙ方向の中心線付近へ、配線パターンが引き出されている。モニター用パッド４１２，４１３，４１４，４１５，４１７は、例えば、平面視にてルーペなどで視認可能な大きさとする。
【０１６６】
第１配線基板４３１には、品番号部４９１を設けて、品番号や品番名などを表示させてもよい。
【０１６７】
図１７に示すように、第２配線基板４３２は、駆動素子としての第２駆動用ＩＣ２２が中央から＋Ｙ方向寄りに実装されている。±Ｘ方向において、第２配線基板４３２は、−Ｙ方向側の辺の幅が＋Ｙ方向側の辺の幅よりも狭い形状を有している。第１端子群４６１が有する複数の端子の数は、第２端子群４６２が有する複数の端子の数よりも多い。そのため、第２配線基板４３２の上記の幅を、第１配線基板４３１と比べて狭くすることが可能となっている。第２配線基板４３２における、上記±Ｘ方向の幅は、第２駆動用ＩＣ２２の実装位置から−Ｙ方向に向かって狭くなり、後述するモニター用パッドの位置付近から−Ｙ方向側は等しくされている。第２配線基板４３２の＋Ｙ方向側の辺の幅は、第１配線基板４３１の±Ｙ方向の辺の幅と略等しい。したがって、第２配線基板４３２の−Ｙ方向側の辺の幅は、第１配線基板４３１の±Ｙ方向の辺の幅よりも狭い。
【０１６８】
第２配線基板４３２は、接続用端子群４３２ｔ、モニター部としてのモニター用パッド４２２，４２３，４２４，４２５を有している。４個のモニター用パッド４２２，４２３，４２４，４２５は、第２駆動用ＩＣ２２と電気的に接続されている。なお、第２配線基板４３２は、−Ｙ方向側が第２端子群４６２に電気的に接続される。ここで、図１７では、第２駆動用ＩＣ２２が有する、入力端子２２ａおよび出力端子２２ｂを透過させて図示している。
【０１６９】
複数の入力端子２２ａには、各種信号および各種電源電圧が入力される。複数の出力端子２２ｂのうち、例えば、出力端子４２２ａ，４２２ｂは未使用端子であり、その他の出力端子２２ｂからは、画像信号が出力される。複数の入力端子２２ａと複数の出力端子２２ｂとは、第２配線基板４３２における、第２駆動用ＩＣ２２の実装面に設けられている。すなわち、入力端子２２ａおよび出力端子２２ｂは、ベアチップである第２駆動用ＩＣ２２の能動面に設けられている。
【０１７０】
モニター用パッド４２２は、配線群４４１ａのうちの−Ｘ方向の端の配線に電気的に接続されている。モニター用パッド４２２が電気的に接続された配線に対して、＋Ｘ方向に隣り合う配線に、モニター用パッド４２３が電気的に接続されている。モニター用パッド４２２，４２３は、±Ｙ方向に隣り合って配置されている。
【０１７１】
モニター用パッド４２４は、配線群４４１ａのうちの＋Ｘ方向の端の配線に電気的に接続されている。モニター用パッド４２４が電気的に接続された配線に対して、−Ｘ方向に隣り合う配線に、モニター用パッド４２５が電気的に接続されている。モニター用パッド４２４，４２５は、±Ｙ方向に隣り合って配置されている。モニター用パッド４２２，４２３、およびのモニター用パッド４２４，４２５は、それぞれ±Ｙ方向に隣り合って配置されているので、周辺の配線の邪魔になりにくく、該配線の配置効率が損なわれにくい。
【０１７２】
ここで、第２配線基板４３２において、＋Ｘ方向側に設けられたモニター用パッド４２４，４２５を、モニター用パッドの一方の組と呼び、−Ｘ方向側に設けられたモニター用パッド４２２，４２３を、モニター用パッドの他方の組と呼ぶ。モニター用パッドの、一方の組および他方の組は、第２配線基板４３２における±Ｘ方向の中心線に対して、略対象な位置に設けられている。
【０１７３】
モニター用パッドの一方の組は、第２配線基板４３２の±Ｙ方向の中央付近に設けられている。モニター用パッドの他方の組も、第２配線基板４３２の±Ｙ方向の中央付近に設けられている。モニター用パッド４２２，４２３，４２４，４２５は、例えば、平面視にてルーペなどで視認可能な大きさとする。
【０１７４】
第２配線基板４３２には、品番号部４９２を設けて、品番号や品番名などを表示させてもよい。また、図１４に示した液晶パネル４００の端子部４０５に、第２配線基板４３２を実装する際には、端子部４０５の第２端子群４６２に対して、第２配線基板４３２の端子合わせ用マーク４２９を用いて、＋Ｘ方向および＋Ｙ方向における相対的な位置合わせを行ってもよい。
【０１７５】
ここで、第２配線基板４３２において、第２駆動用ＩＣ２２に電気的に接続されていない複数の配線には、図５に示した電源電圧である、共通電圧ＬＣＣＯＭが供給される。具体的には、例えば、±Ｘ方向の両端の配線４２１ｅに、共通電圧ＬＣＣＯＭが供給される。配線４２１ｅに対して、第２配線基板４３２の±Ｘ方向の中心線方向に隣り合う端子４２１ｇは、ダミー端子としている。
【０１７６】
端子４２１ｇをダミー端子とすることによって、第１配線基板４３１の入力側の端子の数と、第２配線基板４３２の入力側の端子の数とを揃えることができる。したがって、第１配線基板４３１に電気的に接続される第１入力端子の数と、第２配線基板４３２に電気的に接続される第２入力端子の数とが等しくなる。そのため、第１入力端子に用いるコネクターと第２入力端子に用いるコネクターとを共用とすることができる。これによって、市販されている汎用のコネクターなどを用いることが可能となる。
【０１７７】
また、第１入力端子と第２入力端子とを間違えてコネクターに挿入しても、短絡などによる第１配線基板４３１、第２配線基板４３２、液晶パネル４００などの破損を防止することができる。例えば、仮に、第２配線基板４３２において、−Ｘ方向側の２個の端子４２１ｇを、共通電圧ＬＣＣＯＭが供給される配線に割振るとする。この場合に、コネクターを誤挿入すると、液晶パネル４００の駆動電源と共通電源とが第２配線基板４３２内で短絡する。端子４２１ｇがダミー端子であることにより、このような事態が回避される。
【０１７８】
さらには、第１配線基板４３１および第２配線基板４３２は、共に共通電圧ＬＣＣＯＭが供給される配線を有している。そのため、共通電圧ＬＣＣＯＭが第１配線基板４３１および第２配線基板４３２から供給されるので、液晶パネル４００内の共通電位がより安定化される。
【０１７９】
図１８に示すように、端子部４０５に第１配線基板４３１および第２配線基板４３２が重ねられて実装されると、第１配線基板４３１の＋Ｚ方向側に第２配線基板４３２が位置する。このとき、第１配線基板４３１は、第１端子群４６１と電気的に接続される。第２配線基板４３２は、第１配線基板４３１と重ねられると共に、第２端子群４６２と電気的に接続される。
【０１８０】
ここで、第１端子群４６１および第２端子群４６２の±Ｙ方向における端子の長さは、距離Ｄ４であり、第１端子群４６１と第２端子群４６２とは、±Ｙ方向に距離Ｄ１離れている。そのため、第２配線基板４３２は、第１配線基板４３１に対して、距離（Ｄ１＋Ｄ４）だけ＋Ｙ方向にずれて実装される。
【０１８１】
第２配線基板４３２では、第２駆動用ＩＣ２２が実装された位置から−Ｙ方向側において、±Ｘ方向の幅が第１配線基板４３１より狭い。そのため、第１配線基板４３１が第２配線基板４３２と重ねられて実装されても、第１配線基板４３１のモニター用パッド４１２，４１３，４１４，４１５，４１７が、第２配線基板４３２に遮られずに＋Ｚ方向側に露出する。すなわち、第２配線基板４３２は、第１配線基板４３１のモニター用パッド４１２，４１３，４１４，４１５，４１７と重ならないように配置される。
【０１８２】
以上に述べたように、本実施形態に係る電気光学装置としての液晶装置によれば、以下の効果を得ることができる。
【０１８３】
第１配線基板４３１における駆動素子としての第１駆動用ＩＣ２１の出力信号や電源ノイズを、従来よりも容易に確認することができる。詳しくは、画素１１１の高解像度化に対応するために、液晶装置には第１端子群４６１と第２端子群４６２とが備わっている。第１配線基板４３１と第２配線基板４３２とは、第１端子群４６１および第２端子群４６２のそれぞれと電気的に接続され、重ねられて配置されている。第２配線基板４３２は、第１配線基板４３１における第１駆動用ＩＣ２１からのモニター部としてのモニター用パッド４１２，４１３，４１４，４１５，４１７と重ならないように、±Ｘ方向における、−Ｙ方向側の幅が狭く形成されている。そのため、重ねられた第１配線基板４３１および第２配線基板４３２の−Ｚ方向側に、第１配線基板４３１の配線が存在しても、モニター用パッド４１２，４１３，４１４，４１５，４１７を用いて出力信号や電源ノイズの確認を行うことが可能となる。したがって、出力信号や電源ノイズの確認が容易な液晶装置を提供することができる。
【０１８４】
第１端子群４６１の−Ｘ方向に沿う長さは、第２端子群４６２の−Ｘ方向に沿う長さより長い。そのため、第２配線基板４３２の−Ｘ方向に沿う長さ、すなわち第２配線基板４３２の、±Ｘ方向における幅を、第１配線基板４３１の−Ｘ方向に沿う長さよりも容易に狭く形成することができる。
【０１８５】
５．第５実施形態
５．１．液晶装置の実装に係る構成
本実施形態では、電気光学装置としてアクティブ駆動型の液晶装置を例に挙げ、本実施形態に係る液晶装置の実装に係る構成について、図１９を参照して説明する。図１９は、第５実施形態に係る第２配線基板の構成を示す平面図である。
【０１８６】
ここで、本実施形態に係る液晶装置は、第４実施形態の液晶装置に対して、第２配線基板の形態を異ならせたものである。そのため、第４実施形態と同一の構成部位については、同一の符号を使用し、重複する説明は省略する。
【０１８７】
図１９に示すように、第２配線基板５３２は、駆動素子としての第２駆動用ＩＣ２２が中央から＋Ｙ方向寄りに実装されている。±Ｘ方向において、第２配線基板５３２は、−Ｙ方向側の辺の幅が＋Ｙ方向側の辺の幅よりも狭い形状を有している。さらに、第２配線基板５３２において、±Ｘ方向の両側、換言すれば±Ｘ方向に対向する２辺には、それぞれ切欠き部５８１，５８２が設けられている。切欠き部５８１は、上記２辺のうち、−Ｘ方向側の辺に設けられている。切欠き部５８２は、上記２辺のうち、＋Ｘ方向側の辺に設けられている。
【０１８８】
そのため、図１６に示した第１配線基板４３１と、第２配線基板５３２とが液晶パネルに実装されると、第１配線基板４３１の±Ｘ方向の両側にそれぞれ設けられたモニター用パッド４１２，４１３，４１４，４１５，４１７と、第２配線基板５３２とが重ならない。それに加えて、モニター用パッド４１２，４１３，４１４，４１５，４１７を、＋Ｚ方向側へ充分に露出させることができる。
【０１８９】
以上に述べたように、本実施形態に係る電気光学装置としての液晶装置によれば、以下の効果を得ることができる。
【０１９０】
第２配線基板５３２の切欠き部５８１，５８２によって、第１配線基板４３１のモニター用パッド４１２，４１３，４１４，４１５，４１７が十分に露出して、出力信号や電源ノイズの確認がさらに容易になる。また、第１配線基板４３１における、モニター用パッド４１２，４１３，４１４，４１５，４１７の引き回しに余裕を生じさせることができる。
【０１９１】
６．第６実施形態
６．１．液晶装置の実装に係る構成
本実施形態では、電気光学装置としてアクティブ駆動型の液晶装置を例に挙げ、本実施形態に係る液晶装置の実装に係る構成について、図２０、図２１、図２２、図２３を参照して説明する。図２０は、第６実施形態に係る液晶パネルの第１端子群および第２端子群の配置を示す平面図である。図２１は、第１配線基板の構成を示す平面図である。図２２は、第２配線基板の構成を示す平面図である。図２３は、第１配線基板および第２配線基板を端子部に実装した状態を示す平面図である。
【０１９２】
ここで、本実施形態に係る液晶装置は、第４実施形態の液晶装置に対して、第１端子群および第２端子群の配置、第１配線基板および第２配線基板の構成などを異ならせたものである。そのため、第４実施形態と同一の構成部位については、同一の符号を使用し、重複する説明は省略する。
【０１９３】
図２０に示すように、本実施形態の液晶装置が備える液晶パネル６００は、透過型であって、例えば、石英基板などの透光性基板によって構成され、対向して配置された素子基板６０１および対向基板６０２と、これら一対の基板の間に挟持された液晶層と、表示領域６１０と、を有している。対向基板６０２は、素子基板６０１に対して、光Ｌａの入射側、すなわち−Ｚ方向側に配置される。液晶パネル６００は、＋Ｘ方向および＋Ｙ方向にマトリクス状に配置された複数の、図示しない画素を有している。複数の画素がマトリクス状に配置された領域が表示領域６１０である。なお、表示領域６１０は、液晶パネル６００の表示に寄与しないダミー画素を含んでいてもよい。
【０１９４】
素子基板６０１における、液晶パネル６００の対向基板６０２から＋Ｙ方向に突出した部分が端子部６０５である。端子部６０５には、外部接続用の第１端子群６６１および第２端子群６６２が設けられている。第２端子群６６２は、端部６０５ａ近傍に配置されている。第１端子群６６１は、第２端子群６６２と表示領域６１０との間に配置されている。液晶パネル６００は、図示しない、走査線駆動回路およびデータ線選択回路を備えている。
【０１９５】
第２端子群６６２は、第１端子群６６１に沿って配置されている。詳しくは、第１端子群６６１および第２端子群６６２では、それぞれ第１方向としての−Ｘ方向に沿って、複数の端子が配列されている。第１端子群６６１と第２端子群６６２とは、端子部６０５の端部６０５ａから−Ｙ方向に間隔を空けて設けられている。第２端子群６６２は、第１端子群６６１に対して、端部６０５ａ寄りに配置されている。第１端子群６６１の−Ｘ方向に沿う長さは、第２端子群６６２の−Ｘ方向に沿う長さよりも長い。換言すれば、±Ｘ方向において、第２端子群６６２の長さは、第１端子群６６１の長さよりも短く形成されている。
【０１９６】
第１端子群６６１および第２端子群６６２は、＋Ｘ方向側の端部が揃えて配置されている。そのため、−Ｘ方向側では、第１端子群６６１の端部が、第２端子群６６２の端部よりも、−Ｘ方向へ突出して配置されている。
【０１９７】
液晶パネル６００では、第１端子群６６１が有する複数の端子の数は、第２端子群６６２が有する複数の端子の数よりも多い。第１端子群６６１には、電気的に接続される、図示しない第１駆動用ＩＣ２１から各種信号が入力される。第２端子群６６２には、電気的に接続される、図示しない第２駆動用ＩＣ２２から各種信号が入力される。具体的には、第１端子群６６１には、液晶パネル６００の駆動電源である、基準電圧ＶＳＳＹ、駆動電圧ＶＤＤＹ、共通電圧ＬＣＣＯＭ、および各種駆動信号、映像信号などが入力される。第２端子群６６２には、共通電圧ＬＣＣＯＭ、映像信号などが入力される。
【０１９８】
なお、本実施形態では、第１端子群６６１が有する複数の端子の数を、第２端子群６６２が有する複数の端子の数よりも多い構成を例示したが、これに限定されない。±Ｘ方向において、第２端子群６６２の長さが、第１端子群６６１の長さよりも短ければよい。
【０１９９】
図２１に示すように、第１配線基板６３１は、外形が長方形であり、駆動素子としての第１駆動用ＩＣ２１が中央から＋Ｙ方向寄りに実装されている。第１配線基板６３１は、接続用端子群６３１ｔ、第１配線としての配線６１１ｈ、第２配線としての配線６１１ｇ、モニター部としてのモニター用パッド６１２，６１３，６１４，６１５，６１７，６１８を有している。６個のモニター用パッド６１２，６１３，６１４，６１５，６１７，６１８は、第１駆動用ＩＣ２１と電気的に接続されている。なお、第１配線基板６３１は、−Ｙ方向側が第１端子群６６１に電気的に接続される。
【０２００】
本実施形態の第１配線基板６３１は、第４実施形態の第１配線基板４３１に対して、配線６１１ｇおよびモニター用パッド６１８が追加されている。なお、図２１では、第１駆動用ＩＣ２１が有する、入力端子２１ａおよび出力端子２１ｂと、配線６１１ｇとを透過させて図示している。
【０２０１】
複数の入力端子２１ａには、各種信号および各種電源電圧が入力される。複数の出力端子２１ｂのうち、例えば、出力端子６２１ａはクロック信号を出力する端子に使用され、出力端子６２１ｂは各種信号を出力する端子に使用され、その他の出力端子２１ｂからは、画像信号が出力される。複数の入力端子２１ａと複数の出力端子２１ｂとは、第１配線基板６３１における、第１駆動用ＩＣ２１の実装面に設けられている。すなわち、入力端子２１ａおよび出力端子２１ｂは、ベアチップである第１駆動用ＩＣ２１の能動面に設けられている。
【０２０２】
配線６１１ｈは、第１駆動用ＩＣ２１の複数の出力端子２１ｂのうち、一端側としての−Ｘ方向側に設けられた出力端子２１ｂと、モニター部としてのモニター用パッド６１２とを、電気的に接続する。配線６１１ｇは、第１駆動用ＩＣ２１の複数の出力端子２１ｂのうち、他端側としての＋Ｘ方向側に設けられた出力端子２１ｂと、他のモニター部としてのモニター用パッド６１８とを、電気的に接続する。モニター用パッド６１８は、第１配線基板６３１と第２配線基板６３２とが重ねられて実装された場合に、第２配線基板６３２と重ならない位置に設けられている。
【０２０３】
配線６１１ｇは、第１駆動用ＩＣ２１の＋Ｘ方向側に設けられた出力端子２１ｂと、モニター用パッド６１８とを繋ぐために、平面視にて第１駆動用ＩＣ２１と重なる位置を延在している。換言すれば、配線６１１ｇは、第１駆動用ＩＣ２１の−Ｚ方向側に設けられている。
【０２０４】
モニター用パッド６１２は、配線群６１１ａのうちの−Ｘ方向の端の配線に電気的に接続されている。モニター用パッド６１２が電気的に接続された配線に対して、＋Ｘ方向に隣り合う配線に、モニター用パッド６１３が電気的に接続されている。さらに、モニター用パッド６１３が電気的に接続された配線に対して、＋Ｘ方向に隣り合う配線に、モニター用パッド６１７が電気的に接続されている。モニター用パッド６１２，６１３，６１７は、±Ｙ方向に隣り合って配置されている。
【０２０５】
モニター用パッド６１５は、配線群６１１ａのうちの＋Ｘ方向の端の配線に電気的に接続されている。モニター用パッド６１５が電気的に接続された配線に対して、＋Ｘ方向に隣り合う配線６１１ｃに、モニター用パッド６１４が電気的に接続されている。モニター用パッド６１４，６１５は、±Ｙ方向に隣り合って配置されている。
【０２０６】
ここで、第１配線基板６３１において、第１駆動用ＩＣ２１に電気的に接続されていない複数の配線には、図５に示した電源電圧である、共通電圧ＬＣＣＯＭ、基準電圧ＶＳＳＹおよび駆動電圧ＶＤＤＹのうちのいずれかが供給される。具体的には、例えば、配線６１１ｅには、共通電圧ＬＣＣＯＭが供給され、配線６１１ｆには、基準電圧ＶＳＳＹおよび駆動電圧ＶＤＤＹが供給される。
【０２０７】
図２０に示した液晶パネル６００の端子部６０５に、第１配線基板６３１を実装する際には、端子部６０５の第１端子群６６１に対して、第１配線基板６３１の端子合わせ用マーク６１９を用いて、＋Ｘ方向および＋Ｙ方向における相対的な位置合わせを行ってもよい。
【０２０８】
ここで、第１配線基板６３１において、＋Ｘ方向側に設けられたモニター用パッド６１４，６１５を、モニター用パッドの一方の組と呼び、−Ｘ方向側に設けられたモニター用パッド６１２，６１３，６１７，６１８を、モニター用パッドの他方の組と呼ぶ。モニター用パッドの、一方の組および他方の組は、第１配線基板６３１における±Ｘ方向の中心線に対して、略対象な位置に設けられている。
【０２０９】
モニター用パッドの一方の組は、中心線に対して、第１配線基板６３１の＋Ｘ方向側の辺に近付くように、且つ、第１配線基板６３１の±Ｙ方向の中心線付近へ、配線パターンが引き出されている。モニター用パッドの他方の組は、上記中心線に対して、第１配線基板６３１の−Ｘ方向側の辺に近付くように、且つ、第１配線基板６３１の±Ｙ方向の中心線付近へ、配線パターンが引き出されている。モニター用パッド６１２，６１３，６１４，６１５，６１７，６１８は、例えば、平面視にてルーペなどで視認可能な大きさとする。
【０２１０】
第１配線基板６３１には、品番号部６９１を設けて、品番号や品番名などを表示させてもよい。
【０２１１】
図２２に示すように、第２配線基板６３２は、駆動素子としての第２駆動用ＩＣ２２が中央から＋Ｙ方向寄りに実装されている。±Ｘ方向において、第２配線基板６３２は、−Ｙ方向側の辺の幅が＋Ｙ方向側の辺の幅よりも狭い形状を有している。第１端子群６６１が有する複数の端子の数は、第２端子群６６２が有する複数の端子の数よりも多い。そのため、第２配線基板６３２の上記の幅を、第１配線基板６３１と比べて狭くすることが可能となっている。
【０２１２】
ここで、上述した通り、液晶パネル６００において、第１端子群６６１および第２端子群６６２は、＋Ｘ方向側の端部が揃えて配置されている。また、−Ｘ方向側では、第１端子群６６１の端部が、第２端子群６６２の端部よりも、−Ｘ方向へ突出して配置されている。この配置に対応させるため、第２配線基板６３２において、＋Ｘ方向側の辺は直線的に形成され、−Ｘ方向側の辺は−Ｙ方向側に窄まって形成されている。詳しくは、第２配線基板６３２における、±Ｘ方向の幅は、第２駆動用ＩＣ２２の実装位置から−Ｙ方向に向かって狭くなり、後述するモニター用パッドの位置付近から−Ｙ方向側は等しくされている。第２配線基板６３２の＋Ｙ方向側の辺の幅は、第１配線基板６３１の±Ｙ方向の辺の幅と略等しい。したがって、第２配線基板６３２の−Ｙ方向側の辺の幅は、第１配線基板６３１の±Ｙ方向の辺の幅よりも狭い。
【０２１３】
第２配線基板６３２における、上記−Ｘ方向側の辺には、切欠き部６８１が設けられている。切欠き部６８１によって、第１配線基板６３１と、第２配線基板６３２とが液晶パネル６００に実装されると、第１配線基板６３１の−Ｘ方向側に設けられたモニター用パッド６１２，６１３，６１７，６１８を、＋Ｚ方向側へ充分に露出させることができる。換言すれば、モニター用パッド６１２，６１３，６１７，６１８と第２配線基板６３２とが重ならないように、切欠き部６８１が設けられている。
【０２１４】
第２配線基板６３２は、接続用端子群６３２ｔ、モニター部としてのモニター用パッド６２３，６２４，６２５，６２６を有している。４個のモニター用パッド６２３，６２４，６２５，６２６は、第２駆動用ＩＣ２２と電気的に接続されている。なお、第２配線基板６３２は、−Ｙ方向側が第２端子群６６２に電気的に接続される。ここで、図２２では、第２駆動用ＩＣ２２が有する、入力端子２２ａおよび出力端子２２ｂを透過させて図示している。
【０２１５】
複数の入力端子２２ａには、各種信号および各種電源電圧が入力される。複数の出力端子２２ｂのうち、例えば、出力端子６２２ａは未使用端子であり、その他の出力端子２２ｂからは、各種信号が出力される。複数の入力端子２２ａと複数の出力端子２２ｂとは、第２配線基板６３２における、第２駆動用ＩＣ２２の実装面に設けられている。すなわち、入力端子２２ａおよび出力端子２２ｂは、ベアチップである第２駆動用ＩＣ２２の能動面に設けられている。
【０２１６】
モニター用パッド６２６は、配線群６９１ａのうちの−Ｘ方向の端の配線に電気的に接続されている。モニター用パッド６２６が電気的に接続された配線に対して、＋Ｘ方向に隣り合う配線に、モニター用パッド６２３が電気的に接続されている。モニター用パッド６２３，６２６は、±Ｙ方向に隣り合って配置されている。
【０２１７】
モニター用パッド６２５は、配線群６９１ａのうちの＋Ｘ方向の端の配線に電気的に接続されている。モニター用パッド６２５が電気的に接続された配線に対して、＋Ｘ方向に隣り合う配線に、モニター用パッド６２４が電気的に接続されている。モニター用パッド６２４，６２５は、±Ｘ方向に隣り合って配置されている。
【０２１８】
ここで、第２配線基板６３２において、＋Ｘ方向側に設けられたモニター用パッド６２４，６２５を、モニター用パッドの一方の組と呼び、−Ｘ方向側に設けられたモニター用パッド６２３，６２６を、モニター用パッドの他方の組と呼ぶ。
【０２１９】
モニター用パッドの一方の組は、第２配線基板６３２の±Ｙ方向の中央付近に設けられている。モニター用パッドの他方の組も、第２配線基板６３２の±Ｙ方向の中央付近に設けられている。モニター用パッド６２３，６２４，６２５，６２６は、例えば、平面視にてルーペなどで視認可能な大きさとする。
【０２２０】
第２配線基板６３２には、品番号部６８２を設けて、品番号や品番名などを表示させてもよい。
【０２２１】
ここで、第２配線基板６３２において、第２駆動用ＩＣ２２に電気的に接続されていない複数の配線には、図５に示した電源電圧である、共通電圧ＬＣＣＯＭが供給される。具体的には、例えば、±Ｘ方向の両端の配線６２１ｅに、共通電圧ＬＣＣＯＭが供給される。−Ｘ方向側の配線６２１ｅに対して、−Ｘ方向側に隣り合う端子６２１ｇは、ダミー端子としている。また、配線６２１ｊは、液晶パネル６００の電源配線としている。
【０２２２】
図２３に示すように、端子部６０５に第１配線基板６３１および第２配線基板６３２が重ねられて実装されると、第１配線基板６３１の＋Ｚ方向側に第２配線基板６３２が位置する。このとき、第１配線基板６３１は、第１端子群６６１と電気的に接続される。第２配線基板６３２は、第１配線基板６３１と重ねられると共に、第２端子群６６２と電気的に接続される。
【０２２３】
第１配線基板６３１が第２配線基板６３２と重ねられて実装されても、第１配線基板６３１のモニター用パッド６１２，６１３，６１７，６１８が、第２配線基板６３２に遮られずに＋Ｚ方向側に露出する。すなわち、第２配線基板６３２は、第１配線基板６３１のモニター用パッド６１２，６１３，６１７，６１８と重ならないように配置される。
【０２２４】
以上に述べたように、本実施形態に係る電気光学装置としての液晶装置によれば、第５実施形態における効果に加えて、以下の効果を得ることができる。
【０２２５】
切欠き部６８１がない場合に比べて、第１配線基板６３１における第１端子群６６１の配置ピッチやモニター用パッド６１２，６１３，６１７，６１８の配置に余裕を確保することができる。
【０２２６】
第１駆動用ＩＣ２１の＋Ｘ方向側の出力端子２１ｂが、第１駆動用ＩＣ２１と平面視で重なる領域を経る配線６１１ｇによって引き回される。そのため、第１駆動用ＩＣ２１の＋Ｘ方向側の出力端子２１ｂについても、モニター用パッド６１８を用いて出力信号や電源ノイズの確認を容易に行うことができる。
【０２２７】
７．第７実施形態
７．１．電子機器
本実施形態の電子機器について、投射型表示装置を例に挙げ、図２４を参照して説明する。図２４は、第７実施形態に係る電子機器としての投射型表示装置の構成を示す概略図である。
【０２２８】
図２４に示すように、本実施形態の電子機器としての投射型表示装置１０００は、光源としてのランプユニット１００１、色分離光学系としてのダイクロイックミラー１０１１，１０１２、電気光学パネルである３個の液晶装置１Ｂ，１Ｇ，１Ｒ、３個の反射ミラー１１１１，１１１２，１１１３、３個のリレーレンズ１１２１，１１２２，１１２３、色合成光学系としてのダイクロイックプリズム１１３０、投射光学系としての投射レンズ１１４０を備えている。
【０２２９】
ランプユニット１００１では、例えば、放電型の光源を採用している。光源の方式はこれに限定されず、発光ダイオード、レーザーなどの固体光源を採用してもよい。
【０２３０】
ランプユニット１００１から射出された光は、２個のダイクロイックミラー１０１１，１０１２によって、各々異なる波長域の３色の色光に分離する。３色の色光とは、略赤色の光、略緑色の光、略青色の光である。以降の説明において、上記略赤色の光を赤色光Ｒともいい、上記略緑色の光を緑色光Ｇともいい、上記略青色の光を青色光Ｂともいう。
【０２３１】
ダイクロイックミラー１０１１は、赤色光Ｒを透過させると共に、赤色光Ｒよりも波長が短い、緑色光Ｇおよび青色光Ｂを反射させる。ダイクロイックミラー１０１１を透過した赤色光Ｒは、反射ミラー１１１１で反射され、液晶装置１Ｒに入射する。ダイクロイックミラー１０１１で反射された緑色光Ｇは、ダイクロイックミラー１０１２によって反射された後、液晶装置１Ｇに入射する。ダイクロイックミラー１０１１で反射された青色光Ｂは、ダイクロイックミラー１０１２を透過して、リレーレンズ系１１２０へ射出される。
【０２３２】
リレーレンズ系１１２０は、リレーレンズ１１２１，１１２２，１１２３、反射ミラー１１１２，１１１３を有している。青色光Ｂは、緑色光Ｇや赤色光Ｒと比べて光路が長いため、光束が大きくなりやすい。そのため、リレーレンズ１１２２を用いて光束の拡大を抑えている。リレーレンズ系１１２０に入射した青色光Ｂは、反射ミラー１１１２で反射されると共に、リレーレンズ１１２１によってリレーレンズ１１２２の近傍で収束される。そして、青色光Ｂは、反射ミラー１１１３およびリレーレンズ１１２３を経て、液晶装置１Ｂに入射する。
【０２３３】
投射型表示装置１０００における、光変調装置としての液晶装置１Ｒ，１Ｇ，１Ｂには、第１実施形態の電気光学装置としての液晶装置１が適用されている。また、液晶装置１Ｒ，１Ｇ，１Ｂとして、第１実施形態以外の液晶装置を適用してもよい。
【０２３４】
液晶装置１Ｒ，１Ｇ，１Ｂのそれぞれは、上述した第１延長基板４１および第２延長基板４２を介して投射型表示装置１０００の上位回路と電気的に接続される。これにより、赤色光Ｒ、緑色光Ｇ、青色光Ｂの諧調レベルを指定する画像信号がそれぞれ外部回路から供給され、上位回路で処理される。これにより、液晶装置１Ｒ，１Ｇ，１Ｂが駆動されて、それぞれの色光が変調される。
【０２３５】
液晶装置１Ｒ，１Ｇ，１Ｂによって変調された赤色光Ｒ、緑色光Ｇ、青色光Ｂは、ダイクロイックプリズム１１３０に３方向から入射する。ダイクロイックプリズム１１３０は、入射した赤色光Ｒ、緑色光Ｇ、青色光Ｂを合成する。ダイクロイックプリズム１１３０において、赤色光Ｒおよび青色光Ｂは９０度に反射され、緑色光Ｇは透過する。そのため、赤色光Ｒ、緑色光Ｇ、青色光Ｂは、カラー画像を表示する表示光として合成され、投射レンズ１１４０に向かって射出される。
【０２３６】
投射レンズ１１４０は、投射型表示装置１０００の外側を向いて配置されている。表示光は、投射レンズ１１４０を介して拡大されて射出され、投射対象であるスクリーン１２００に投射される。
【０２３７】
本実施形態では、電子機器として投射型表示装置１０００を例示したが、本発明の電気光学装置が適用される電子機器はこれに限定されない。例えば、投射型のＨＵＤ（Head-Up Display）、直視型のＨＭＤ（Head Mounted Display）、パーソナルコンピューター、デジタルカメラ、液晶テレビなどの電子機器に適用されてもよい。
【０２３８】
以上に述べたように、本実施形態に係る投射型表示装置１０００によれば、以下の効果を得ることができる。
【０２３９】
第１駆動用ＩＣ２１などの駆動素子の出力信号や電源ノイズが確認しやすく、液晶装置１の表示試験が容易になり、表示特性などの品質が向上した投射型表示装置１０００を提供することができる。
【０２４０】
以下に、実施形態から導き出される内容を記載する。
【０２４１】
電気光学装置は、第１方向に沿って複数の端子が配列された第１端子群と、第１端子群よりも第１方向にずれて配置され、第１方向に沿って複数の端子が配列された第２端子群と、第１端子群と電気的に接続され、駆動素子が実装された第１配線基板と、第１配線基板と重ねて配置され、第２端子群と電気的に接続された第２配線基板と、を備え、第１配線基板は、駆動素子と電気的に接続されたモニター部を有し、第２配線基板は、モニター部と重ならないように、第１配線基板よりも第１方向にずれて配置されている。
【０２４２】
この構成によれば、第１配線基板における駆動素子の出力信号や電源ノイズを、従来よりも容易に確認することができる。詳しくは、画素の高解像度化に対応するために、電気光学装置には第１端子群と第２端子群とが備わっている。第１配線基板と第２配線基板とは、第１端子群および第２端子群のそれぞれと電気的に接続され、重ねられて配置されている。第２配線基板は、第１配線基板における駆動素子からのモニター部と重ならないように第１方向にずれて配置される。そのため、重ねられた第１配線基板および第２配線基板の内側に、第１配線基板の配線が存在しても、モニター部を用いて出力信号や電源ノイズの確認を行うことが可能となる。したがって、配線基板における出力信号や電源ノイズの確認が容易な電気光学装置を提供することができる。
【０２４３】
上記の電気光学装置において、第２配線基板には、第１配線基板のモニター部と重ならないように切欠き部が設けられていることが好ましい。
【０２４４】
この構成によれば、切欠き部がない場合に比べて、第１配線基板に対して第２配線基板を第１方向にずらす距離を小さくすることができる。詳しくは、上記の距離を小さくしても、第２配線基板の切欠き部によって、第１配線基板のモニター部と第２配線基板とが重なりにくくなる。上記の距離が小さくなるため、電気光学装置の第１方向における長さを小さくしやすくなる。これにより、電気光学装置を従来よりも小型化することができる。
【０２４５】
上記の電気光学装置において、切欠き部に沿ってモニター部の識別部が配置されていることが好ましい。
【０２４６】
この構成によれば、電気光学装置の表示試験などにおいて、第２配線基板の識別部により、第１配線基板のモニター部が識別されやすくなる。そのため、上記表示試験の利便性を向上させることができる。
【０２４７】
上記の電気光学装置において、第１配線基板は、駆動素子の一端側に設けられた出力端子とモニター部とを電気的に接続する第１配線と、駆動素子の他端側に設けられた出力端子と他のモニター部とを電気的に接続する第２配線と、を有し、他のモニター部は、第２配線基板と重ならない位置に設けられ、モニター部および他のモニター部は、それぞれ第１配線基板の一の長辺側に配置され、第２配線は、駆動素子と重なる位置を延在することが好ましい。
【０２４８】
この構成によれば、駆動素子の他端側の出力端子が、駆動素子と平面視で重なる領域を経る第２配線によって第１方向と反対側に引き回される。そのため、第２配線基板と重なる他端側の出力端子についても、他のモニター部を用いて出力信号や電源ノイズの確認を行うことができる。
【０２４９】
上記の電気光学装置は、第１配線基板に対して、一端が電気的に接続される第１延長基板と、第２配線基板に対して、一端が電気的に接続される第２延長基板と、を備え、第１延長基板は、他端が第１方向とは反対の第２方向に屈曲し、第２延長基板は、他端が第１方向へ屈曲していることが好ましい。
【０２５０】
この構成によれば、第１延長基板が第１方向に屈曲し、第２延長基板が第２方向に屈曲する場合と比べて、第１延長基板および第２延長基板の幅を小さくすることができる。詳しくは、第１延長基板の他端と、第２延長基板の他端とを、平面的に配置するには、第１延長基板および第２延長基板のどちらか一方、または両方を屈曲した形状とする必要がある。第１延長基板および第２延長基板における第１方向および第２方向の長さ、すなわち幅は、小さいことがコスト上好ましい。第２配線基板は、第１配線基板に対して第１方向へずれて配置されるため、第２延長基板も第１延長基板に対して、第１方向へずれて配置される。そのため、第１延長基板および第２延長基板の屈曲を緩やかにすることができる。
【０２５１】
電気光学装置は、第１端子群と、第１端子群に沿って配置された第２端子群と、第１端子群と電気的に接続された第１配線基板と、第１配線基板と重ねて配置され、第２端子群と電気的に接続された第２配線基板と、を備え、第１配線基板は、駆動素子と、駆動素子に電気的に接続されたモニター部と、を有し、第２配線基板は、第１配線基板よりも幅が狭く、第１配線基板のモニター部と重ならないように配置されている。
【０２５２】
この構成によれば、第１配線基板における駆動素子の出力信号や電源ノイズを、従来よりも容易に確認することができる。詳しくは、画素の高解像度化に対応するために、電気光学装置には第１端子群と第２端子群とが備わっている。第１配線基板と第２配線基板とは、第１端子群および第２端子群のそれぞれと電気的に接続され、重ねられて配置されている。第２配線基板は、第１配線基板における駆動素子からのモニター部と重ならないように幅が狭く形成されている。そのため、重ねられた第１配線基板および第２配線基板の内側に、第１配線基板の配線が存在しても、モニター部を用いて出力信号や電源ノイズの確認を行うことが可能となる。したがって、出力信号や電源ノイズの確認が容易な電気光学装置を提供することができる。
【０２５３】
上記の電気光学装置において、第２配線基板には、モニター部と重ならないように切欠き部が設けられていることが好ましい。
【０２５４】
この構成によれば、切欠き部がない場合に比べて、第１配線基板における第１端子群の配置ピッチやモニター部の配置に余裕を確保することができる。
【０２５５】
上記の電気光学装置において、モニター部は、第１配線基板の両側にそれぞれ設けられ、第２配線基板の両側には、モニター部と重ならないようにそれぞれ切欠き部が設けられていることが好ましい。
【０２５６】
この構成によれば、駆動素子の両側について出力信号や電源ノイズの確認を行うことができる。
【０２５７】
上記の電気光学装置において、第１配線基板は、駆動素子の一端側に設けられた出力端子とモニター部とを電気的に接続する第１配線と、駆動素子の他端側に設けられた出力端子と他のモニター部とを電気的に接続する第２配線と、を有し、他のモニター部は、第２配線基板と重ならない位置に設けられ、第２配線は、駆動素子と重なる位置を延在することが好ましい。
【０２５８】
この構成によれば、駆動素子の他端側の出力端子が、駆動素子と平面視で重なる領域を経る第２配線によって引き回される。そのため、駆動素子の他端側の出力端子についても、他のモニター部を用いて出力信号や電源ノイズの確認を容易に行うことができる。
【０２５９】
上記の電気光学装置は、表示領域を備え、第２端子群と表示領域との間に、第１端子群が配置され、第１端子群および第２端子群は、それぞれ第１方向に沿って複数の端子が配列されており、第１端子群の第１方向に沿う長さが、第２端子群の第１方向に沿う長さよりも長いことが好ましい。
【０２６０】
この構成によれば、第２配線基板の第１方向に沿う長さ、すなわち第２配線基板の幅を、第１配線基板の第１方向に沿う長さよりも容易に狭く形成することができる。
【０２６１】
本願の電子機器は、上記の電気光学装置を備える。
【０２６２】
この構成によれば、駆動素子の出力信号や電源ノイズを確認しやすく、電気光学パネルの表示試験が容易になり、表示特性などの品質が向上した電子機器を提供することができる。
【符号の説明】
【０２６３】
１，１Ｂ，１Ｇ，１Ｒ…電気光学装置としての液晶装置、２１…駆動素子としての第１駆動用ＩＣ、２１ｂ…出力端子、２２…第２駆動用ＩＣ、３１，２３１，３３１，４３１，６３１…第１配線基板、３２，２３２，３３２，４３２，５３２，６３２…第２配線基板、４１…第１延長基板、４２…第２延長基板、１１０，２１０，４１０，６１０…表示領域、１６１，２６１，４６１，６６１…第１端子群、１６２，２６２，４６２，６６２…第２端子群、３１２，３１３，３２２，３２３，３２４，３２５，６１４，６１５，６２３，６２４，６２５，６２６…モニター用パッド、３１４，３１５，３２４，３２５，４１２，４１３，４１４，４１５，４１７，６１２，６１３，６１７…モニター部としてのモニター用パッド、３２１ｃ，６１１ｈ…第１配線としての配線、３２１ｄ，６１１ｇ…第２配線としての配線、３２６，６１８…他のモニター部としてのモニター用パッド、３２７，３３７，５８１，５８２，６８１…切欠き部、３３９ａ，３３９ｂ，３３９ｃ，３３９ｄ，３３９ｅ，３３９ｆ…識別部、１０００…投射型表示装置。
【図１】
2020134855.tif 000003
【図２】
2020134855.tif 000004
【図３】
2020134855.tif 000005
【図４】
2020134855.tif 000006
【図５】
2020134855.tif 000007
【図６】
2020134855.tif 000008
【図７】
2020134855.tif 000009
【図８】
2020134855.tif 000010
【図９】
2020134855.tif 000011
【図１０】
2020134855.tif 000012
【図１１】
2020134855.tif 000013
【図１２】
2020134855.tif 000014
【図１３】
2020134855.tif 000015
【図１４】
2020134855.tif 000016
【図１５】
2020134855.tif 000017
【図１６】
2020134855.tif 000018
【図１７】
2020134855.tif 000019
【図１８】
2020134855.tif 000020
【図１９】
2020134855.tif 000021
【図２０】
2020134855.tif 000022
【図２１】
2020134855.tif 000023
【図２２】
2020134855.tif 000024
【図２３】
2020134855.tif 000025
【図２４】
2020134855.tif 000026